(57)【要約】【課題】個別通話と一斉放送で同じ伝送線路を使用しつつ伝送線路の容量成分による音声信号の伝送損失を低減する。【解決手段】信号線Ｌｄについては個別通話時を除いて全ての住戸別線Ｌ２が幹線Ｌ１と接続された状態となるから、個別通話用の信号線Ｌｄを一斉放送にも用いることで省配線化が図れる。しかも、個別通話の対象である住戸機２のＣＰＵ２０がループ形成回路２００によりループ回路を形成すると幹線制御装置３の電源重畳回路３２から信号線Ｌｄに重畳される直流電源によってループ回路に直流電流が流れる。幹線制御装置３においては当該信号線Ｌｄに挿入されている幹線リレー接点３５Ａ又は３５Ｂを除く他の全ての幹線リレー接点３５Ｂ又は３５Ａが幹線切替制御回路３７により開成されて個別通話の対象外である住戸機２が分岐接続された幹線Ｌ１が切り離される。故に信号線Ｌｄを介して伝送される音声信号の減衰を抑制することができる。【選択図】        図１
2006211146.tif 000002
【特許請求の範囲】
【請求項１】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される幹線制御装置とを備え、
伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、
住戸機は、共用部装置並びにドアホン子器との間で各々信号線及び子器接続線を介した通話を行う通話手段と、住戸別線の信号線に挿入された常開型の住戸機スイッチ要素と、信号線の線間に挿入されて信号線に直流電流を流すループ回路を形成する状態とループ回路が形成されない状態とを切り替えるループ回路切替スイッチ要素と、制御線を介して個別通話の開始を指示する制御信号を受信したときに住戸機スイッチ要素を閉成するとともにループ回路切替スイッチ要素を閉成してループ回路を形成させる制御手段とを備え、
幹線制御装置は、共用部装置側の幹線から分配された前記複数系統の幹線における信号線にそれぞれ挿入された常閉型の複数の幹線スイッチ要素と、当該幹線における信号線に直流電源を重畳する電源重畳手段と、各系統の幹線についてループ回路を介して信号線に流れる直流電流を検出するとともに当該検出値が所定のしきい値を超えていれば当該信号線に挿入されている幹線スイッチ要素を除く他の全ての幹線スイッチ要素を開成するスイッチ要素駆動手段とを備え、
各住戸機では、制御線を介して一斉放送開始を指示する制御信号を受信したときに制御手段が住戸機スイッチ要素を閉成することを特徴とする集合住宅用インターホンシステム。
【請求項２】
幹線制御装置は、分配前の幹線における信号線の線間に挿入されて信号線に直流電流を流すループ回路を形成する状態とループ回路が形成されない状態とを切り替える第２のループ回路切替スイッチ要素と、分配後の何れかの系統の幹線について信号線に直流電流が流れると第２のループ回路切替スイッチ要素を閉成してループ回路を形成させる切替スイッチ要素駆動手段とを備えたことを特徴とする請求項１記載の集合住宅用インターホンシステム。
【請求項３】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される幹線制御装置とを備え、
伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、
住戸機は、共用部装置並びにドアホン子器との間で各々信号線及び子器接続線を介した通話を行う通話手段と、住戸別線の信号線に挿入された常開型の住戸機スイッチ要素と、制御線を介して個別通話の開始を指示する制御信号を受信したときに住戸機スイッチ要素を閉成する制御手段とを備え、
幹線制御装置は、共用部装置側の幹線から分配された前記複数系統の幹線における信号線にそれぞれ挿入された常閉型の複数の幹線スイッチ要素と、制御線を介して何れかの住戸機に対して伝送された個別通話の開始を指示する制御信号を受信したときに当該住戸機が住戸別線を介して分岐接続されている幹線を除く他の全ての系統の幹線における信号線に挿入されている幹線スイッチ要素を開成するスイッチ要素駆動手段とを備え、
各住戸機では、制御線を介して一斉放送開始を指示する制御信号を受信したときに制御手段が住戸機スイッチ要素を閉成することを特徴とする集合住宅用インターホンシステム。
【請求項４】
複数台の住戸機がそれぞれ分岐接続された複数系統の幹線と幹線制御装置が接続された幹線との間に挿入される幹線分配器を備え、
共用部装置は、来訪者を撮像するカメラと、カメラで撮像された映像を伝送する映像信号を音声信号よりも高周波で周波数変調する周波数変調手段とを備え、
幹線制御装置は、共用部装置の周波数変調手段で変調された映像信号を信号線に周波数多重化する映像信号多重化手段を備え、
住戸機は、信号線を介して伝送される音声分配から映像信号を分離するとともに分離した映像信号を復調する映像信号分離復調手段と、復調された映像信号により共用部装置のカメラで撮像された映像を表示するモニタとを備え、
幹線分配器は、幹線制御装置側の幹線から分配された前記複数系統の幹線における信号線にそれぞれ挿入された常閉型の複数の分岐スイッチ要素と、制御線を介して何れかの住戸機に対して伝送された個別通話の開始を指示する制御信号を受信したときに当該住戸機が住戸別線を介して分岐接続されている幹線を除く他の全ての系統の幹線における信号線に挿入されている分岐スイッチ要素を開成する分岐スイッチ要素駆動手段とを備えたことを特徴とする請求項３記載の集合住宅用インターホンシステム。
【請求項５】
共用部装置は、来訪者を撮像するカメラと、カメラで撮像された映像を伝送する映像信号を音声信号よりも高周波で周波数変調する周波数変調手段とを備え、
幹線制御装置は、共用部装置の周波数変調手段で変調された映像信号を信号線に周波数多重化する映像信号多重化手段と、信号線を介して伝送される映像信号の搬送波を検出するとともに搬送波が検出されているときにのみ幹線スイッチ要素の開成動作を許可する搬送波検出手段とを備え、
住戸機は、信号線を介して伝送される音声信号から映像信号を分離するとともに分離した映像信号を復調する映像信号分離復調手段と、復調された映像信号により共用部装置のカメラで撮像された映像を表示するモニタとを備えたことを特徴とする請求項１〜４の何れかに記載の集合住宅用インターホンシステム。
【請求項６】
複数台の住戸機がそれぞれ分岐接続された複数系統の幹線と幹線制御装置が接続された幹線との間に挿入される幹線分配器を備え、
共用部装置は、来訪者を撮像するカメラと、カメラで撮像された映像を伝送する映像信号を音声信号よりも高周波で周波数変調する周波数変調手段とを備え、
幹線制御装置は、共用部装置の周波数変調手段で変調された映像信号を信号線に周波数多重化する映像信号多重化手段と、信号線を介して幹線分配器に動作電源を供給する動作電源供給手段と、スイッチ要素駆動手段における前記しきい値を動作電源供給手段から動作電源を供給する幹線分配器の台数に応じた値に設定するしきい値設定手段とを備え、
住戸機は、信号線を介して伝送される音声信号から映像信号を分離するとともに分離した映像信号を復調する映像信号分離復調手段と、復調された映像信号により共用部装置のカメラで撮像された映像を表示するモニタとを備えたことを特徴とする請求項１又は２記載の集合住宅用インターホンシステム。
【請求項７】
複数台の住戸機がそれぞれ分岐接続された複数系統の幹線と幹線制御装置が接続された幹線との間に挿入される幹線分配器を備え、
共用部装置は、来訪者を撮像するカメラと、カメラで撮像された映像を伝送する映像信号を音声信号よりも高周波で周波数変調する周波数変調手段とを備え、
幹線制御装置は、共用部装置の周波数変調手段で変調された映像信号を信号線に周波数多重化する映像信号多重化手段と、信号線を介して幹線分配器に動作電源を供給する動作電源供給手段と、１台の幹線制御装置から出力される一つの幹線に対して接続可能な最大台数の幹線分配器における消費電流を合計した電流最大値よりも大きな直流電流をループ回路に流す前記電源重畳手段と、ループ回路に流れる直流電流の検出値と比較される前記しきい値が幹線分配器における消費電流を合計した電流最大値より大きい値に設定された前記スイッチ要素駆動手段とを備え、
住戸機は、信号線を介して伝送される音声信号から映像信号を分離するとともに分離した映像信号を復調する映像信号分離復調手段と、復調された映像信号により共用部装置のカメラで撮像された映像を表示するモニタとを備えたことを特徴とする請求項１又は２記載の集合住宅用インターホンシステム。
【請求項８】
幹線分配器は、信号線を介して伝送される映像信号を増幅する映像信号増幅手段と、各系統の幹線についてループ回路を介して信号線に流れる直流電流を検出するとともに当該検出値が所定のしきい値を超えているときにだけ映像信号増幅手段を動作させる映像信号増幅制御手段とを備えたことを特徴とする請求項６又は７記載の集合住宅用インターホンシステム。
【請求項９】
幹線分配器は、信号線を介して供給される動作電源の電源電圧が所定の動作レベルを超えているときに信号線を介して伝送される映像信号を増幅する映像信号増幅手段を備え、
住戸機は、ループ回路が形成されている状態で信号線の線間電圧を変動させる線間電圧変動手段と、個別通話の終了時に線間電圧変動手段により線間電圧を変動させた後にループ回路切替スイッチ要素を開成してループ回路を解消する前記制御手段とを備え、
幹線制御装置は、前記線間電圧変動手段による信号線の線間電圧変動を検出する線間電圧変動検出手段と、ループ回路を介して信号線に流れる直流電流の検出値がしきい値を超えていれば前記動作レベルを超える電源電圧の動作電源を供給するとともに線間電圧変動検出手段によって線間電圧変動が検出されたら前記動作レベルを超える電源電圧の動作電源供給を停止する前記動作電源供給手段とを備えたことを特徴とする請求項６又は７記載の集合住宅用インターホンシステム。
【請求項１０】
住戸機では、線間電圧変動手段が線間電圧を変動させる前にスピーカ並びにモニタをオフ状態とすることを特徴とする請求項９記載の集合住宅用インターホンシステム。
【請求項１１】
複数台の住戸機がそれぞれ分岐接続された複数系統の幹線と幹線制御装置が接続された幹線との間に挿入される映像増幅器を備え、
共用部装置は、来訪者を撮像するカメラと、カメラで撮像された映像を伝送する映像信号を音声信号よりも高周波で周波数変調する周波数変調手段とを備え、
幹線制御装置は、共用部装置の周波数変調手段で変調された映像信号を信号線に周波数多重化する映像信号多重化手段を備え、
住戸機は、信号線を介して伝送される音声信号から映像信号を分離するとともに分離した映像信号を復調する映像信号分離復調手段と、復調された映像信号により共用部装置のカメラで撮像された映像を表示するモニタとを備え、
映像増幅器は、信号線を介して伝送される映像信号を増幅する映像信号増幅手段と、ループ回路を介して信号線に流れる直流電流を検出するとともに当該検出値が所定のしきい値を超えているときに幹線制御装置側の幹線における信号線を介したループ回路を形成するループ回路形成手段とを備えたことを特徴とする請求項１又は２記載の集合住宅用インターホンシステム。
【発明の詳細な説明】
【技術分野】
【０００１】
本発明は、集合住宅の共用玄関に設置された共用部装置と各住戸にそれぞれ設置される住戸機の何れか１台との間で択一的に通信路を確立して通話可能とする集合住宅用インターホンシステムに関し、特に共用部装置と１台の住戸機とが一対一で通話する個別通話の他に、集合住宅の管理室などに設置された一斉放送機器により全ての住戸機へ音声を一斉に放送することができる集合住宅用インターホンシステムに関するものである。
【背景技術】
【０００２】
従来より集合住宅用インターホンシステムが種々提供されているが（例えば、特許文献１参照）、その構成例（従来例）を図１３に示す。この従来例では、集合住宅の共用玄関に設置される共用部装置（ロビーインターホン）１と、各住戸にそれぞれ設置される複数台の住戸機２とを備え、ロビーインターホン１と住戸機２とが伝送線路を介して接続されている。伝送線路は、ロビーインターホン１に接続される幹線Ｌ１と、各住戸機２にそれぞれ接続される住戸別線Ｌ２とを含み、さらに幹線Ｌ１を複数系統（図では２系統）に分配するための幹線制御装置３並びに幹線分配器４が設けられている。この伝送線路としては、３対以上のペア線をシース内に備える多対ツイストペアケーブルを用いており、図示例ではロビーインターホン１と住戸機２との間で音声信号を伝送する通話線Ｌａと、ロビーインターホン１が具備するカメラ（図示せず）で撮像された映像信号を伝送する映像線Ｌｂと、ロビーインターホン１が有する選択手段（後述する）により選択された住戸機２を指定する制御信号を伝送する制御線Ｌｃとにそれぞれペア線を用いている。つまり、図示例の伝送線路では３対のペア線を用いている。ここで、映像線Ｌｂを介して伝送される映像信号はロビーインターホン１において周波数変調され、後述するように各住戸機２に設けたＦＭ復調部２５ａで周波数復調されてモニタ２２に表示される。
【０００３】
ロビーインターホン１は、音声を入出力するマイクロホン及びスピーカと、来訪者を撮像するカメラと、住戸番号を指定するための番号キーと呼出釦を有する選択手段とを備え、来訪者が番号キーを操作して訪問先の住戸番号を選択した後に呼出釦を操作すると住戸番号に対応する住戸機２を選択したことになる。ここで、ロビーインターホン１には通話線Ｌａ及び制御線Ｌｃを介して通話制御装置５が接続されており、ロビーインターホン１で選択された住戸番号が制御線Ｌｃを介して通話制御装置５に伝送されると、通話制御装置５が当該住戸番号に対応する住戸機２に対して制御線Ｌｃを介して制御信号（呼出コマンド）を送出する。
【０００４】
一方、住戸機２は、音声を入出力するマイクロホン２１ａ及びスピーカ２１ｂを備え、マイクロホン２１ａとスピーカ２１ｂとはそれぞれ増幅器２４ａ，２４ｂを介して音声回路２４ｃに接続されている。音声回路２４ｃは、２線の通話線Ｌａと２個の増幅器２４ａ，２４ｂの入力線及び出力線とを２線４線変換する回路を含み、マイクロホン２１ａから入力される音声信号を通話線Ｌａに送出し、通話線Ｌａからの音声信号をスピーカ２１ｂ側に出力する機能を備えている。したがって、ロビーインターホン１と住戸機２との間で通話線Ｌａを通して音声信号を授受することができ、来訪者がロビーインターホン１を用いるとともに居住者が住戸機２を用いることによって、来訪者と居住者との間で音声通話が可能となる。
【０００５】
住戸機２に設けた音声回路２４ｃには、子器インタフェース２３及び子器接続線Ｌ３を介してドアホン子器６が接続される。ドアホン子器６は集合住宅の各住戸の玄関先に配置されるものであってマイクロホンおよびスピーカを備え、子器インタフェース２３はドアホン子器６との通話のための音声双方向増幅回路や音声回路２４ｃを接続するための開閉路回路などを備える。したがって、ドアホン子器６と住戸機２との間での通話が可能になっている。また、ドアホン子器６には呼出釦が設けられ、子器インタフェース２３ではドアホン子器６での呼出釦の操作時に呼出音を音声回路２４ｃに入力して、スピーカ２１ｂから送出させる機能も備える。ドアホン子器６の電源は住戸機２に内蔵した子器電源部２８ａから電源重畳部２８ｂを介して供給される。電源重畳部２８ｂは音声信号伝送帯域に対するインピーダンスを高くして子器接続線Ｌ３に電源を重畳する回路である。ここに、子器接続線Ｌ３には伝送線路とは別シースのケーブルを用いるのが一般的であるが、伝送線路の中の１対のペア線を流用することも可能である。
【０００６】
住戸機２において、モニタ２２には液晶表示器あるいはＣＲＴが用いられる。映像線Ｌｂを通して住戸機２に入力される映像信号は、平衡−不平衡変換のための結合トランス２５ｃを介して増幅器２５ｂに入力され、増幅器２５ｂで増幅された後にＦＭ復調部２５ａにおいてＦＭ復調される。ＦＭ復調部２５ａから出力された映像信号は、モニタ２２に入力されることによってモニタ２２の画面に映像を表示する。つまり、ロビーインターホン１のカメラにおいて撮像された来訪者の映像が住戸機２のモニタ２２に表示されるから、住戸内の居住者が来訪者を確認することができるのである。
【０００７】
住戸機２には内部回路を制御するＣＰＵ２０が設けられ、ＣＰＵ２０には制御線Ｌｃとのインタフェースとなる制御信号送受信回路２６が接続される。制御信号送受信回路２６は、ＣＰＵ２０から出力された制御信号を制御線Ｌｃに送出し、制御線Ｌｃから受信した制御信号をＣＰＵ２０に引き渡す機能を有する。住戸機２の内部電源は、電源部２７によって商用電源（交流１００Ｖ）から生成される。
【０００８】
ところで、通話線Ｌａおよび制御線Ｌｃは、幹線Ｌ１と住戸別線Ｌ２とが直結され、幹線制御装置３並びに幹線分配器４においては各系統の幹線Ｌ１を直結している。したがって、ロビーインターホン１から送出された制御信号は制御線Ｌｃに接続されるすべての住戸機２に伝送される。ここに、住戸機２のＣＰＵ２０には個別にアドレス（たとえば、住戸番号）が設定されており、ロビーインターホン１においてアドレスを選択することによって、アドレスを指定する制御信号（呼出コマンド）が通話制御装置５から制御線Ｌｃを介して全ての住戸機２に伝送することが可能になっている。住戸機２のＣＰＵ２０は、制御信号に含まれるアドレスが自己のアドレスであればＦＭ復調部２５ａやモニタ２２を起動してロビーインターホン１のカメラにおいて撮像された来訪者の映像を住戸機２のモニタ２２に表示させるとともに、音声回路２４ｃを通じてスピーカ２１ｂから呼出音を送出させるように構成されている。そして、呼出音に応じて居住者が住戸機２の応答釦（図示せず）を押操作すれば、ＣＰＵ２０が住戸別線Ｌ２の通話線Ｌａにおける幹線Ｌ１と音声回路２４ｃとの間に挿入された住戸機リレーのリレー接点２９を閉成してロビーインターホン１との間に通信路を確立することにより、ロビーインターホン１と選択された住戸機２との間でのみ通話可能にすることができるとともに、選択された住戸機２でのみカメラで撮像された来訪者をモニタ２２に表示することが可能になる。但し、住戸別線Ｌ２のうちで映像線Ｌｂについては分岐器７を介して幹線Ｌ１から分岐されている。
【０００９】
上述のようにしてロビーインターホン１において選択された住戸機２がロビーインターホン１との間で通信路を確立している状態は、ロビーインターホン１または住戸機２において通話終了が検出されると終了する。つまり、ロビーインターホン１または住戸機２にハンドセットを用いる場合にはハンドセットをオンフックすることによって通話終了を検知でき、ハンズフリーで通話する場合には適宜の操作釦を用いて通話終了を指示できる。
【００１０】
幹線制御装置３においては、ロビーインターホン１から映像線Ｌｂを介して入力するＦＭ映像信号が平衡−不平衡変換のための結合トランス３１ａを介して増幅器３１ｂに入力され、増幅器３１ｂで増幅された後に分配回路３１ｃにより２系統に分配される。また、幹線制御装置３には電源重畳回路３２が設けられ、分配回路３１ｃで分配された２系統の映像線Ｌｂにそれぞれ直流電源（直流電圧・電流）を重畳することで幹線分配器４への給電が行われる。尚、幹線制御装置３においては、通話線Ｌａ並びに制御線Ｌｃは各系統の幹線Ｌ１に直接分配されている。また、幹線電源装置３の内部電源は、電源回路３３によって商用電源（交流１００Ｖ）から生成される。
【００１１】
また幹線分配器４においては、幹線制御装置３から映像線Ｌｂを介して入力するＦＭ映像信号が平衡−不平衡変換のための結合トランス４１ａを介して増幅器４１ｂに入力され、増幅器４１ｂで増幅された後に分配回路４１ｃにより２系統に分配される。幹線分配器４には映像線Ｌｂに重畳された直流電圧・電流から増幅器４１ｂ等の動作電源を作成する受電回路４２ａ及び電源回路４２ｂが設けられるとともに、結合トランス４１ａの入力側と分配回路４１ｃの出力側とが映像分離コイル４３を介して接続されることにより、分配後の各系統の映像線Ｌｂに直流電圧・電流が重畳されている。尚、幹線分配器４においても、通話線Ｌａ並びに制御線Ｌｃは各系統の幹線Ｌ１に直接分配されている。
【特許文献１】実開平６−９２５０号公報
【発明の開示】
【発明が解決しようとする課題】
【００１２】
ところで、火災や地震のような災害発生時等において、集合住宅の管理室に設置された一斉放送機器（例えば、いわゆる警報監視盤などのように音声入力が可能であって幹線を介して各住戸機に音声信号を送信し得る構成を備えた機器）から全ての住戸の住戸機２に対して避難誘導等ための音声を一斉に放送したい場合があり、従来は、幹線Ｌ１とは別に一斉放送用の伝送線路が設けられており、また、これらの機能を実現するための装置が必要であった。この一斉放送の機能は、日常の連絡事項の伝達等にも用いられており、近年では、別装置の導入無しに連絡事項の伝達等の機能に対する要望が高まっており、一斉放送用の専用線を設ける代わりに、通常の個別通話用の通話線Ｌａで一斉放送を行うことが望ましい。
【００１３】
一方、伝送線路の線路長が長くなるにつれて線路の容量成分や誘導成分が増大して音声信号及び映像信号の伝送損失が無視できなくなる。このため、上述の従来例においては、結合トランス８１や増幅器８２を具備して映像線Ｌｂを介して伝送されるＦＭ映像信号を増幅する映像増幅器８を適宜幹線Ｌ１に挿入することにより、映像信号の伝送損失を補っている。一方、音声信号に関してはロビーインターホン７及び住戸機２における送話インピーダンス（音声信号を通話線Ｌａに送出するときのインピーダンス）を相対的に低くし、受話インピーダンス（音声信号を通話線Ｌａから取り込むときのインピーダンス）を相対的に高くすることにより、上述の伝送線路の容量成分の影響を低減することができる。しかしながら、通話線Ｌａによる音声伝送を所定の整合インピーダンスで行う場合、送話インピーダンス及び受話インピーダンスを整合インピーダンス（例えば、６００Ω）とするため、伝送線路の容量成分の影響が大きくなるという問題がある。
【００１４】
本発明は上記事情に鑑みて為されたものであり、その目的は、住戸機から印加される直流電圧の衝突を無くして不具合の発生を防止しながら、個別通話と一斉放送で同じ伝送線路を使用しつつ、個別通話時に、通話路の制御により通話対象でない幹線の通話路を切り離して配線の容量成分による音声信号の伝送損失を低減できる集合住宅用インターホンシステムを提供することにある。
【課題を解決するための手段】
【００１５】
請求項１の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される幹線制御装置とを備え、伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、住戸機は、共用部装置並びにドアホン子器との間で各々信号線及び子器接続線を介した通話を行う通話手段と、住戸別線の信号線に挿入された常開型の住戸機スイッチ要素と、信号線の線間に挿入されて信号線に直流電流を流すループ回路を形成する状態とループ回路が形成されない状態とを切り替えるループ回路切替スイッチ要素と、制御線を介して個別通話の開始を指示する制御信号を受信したときに住戸機スイッチ要素を閉成するとともにループ回路切替スイッチ要素を閉成してループ回路を形成させる制御手段とを備え、幹線制御装置は、共用部装置側の幹線から分配された前記複数系統の幹線における信号線にそれぞれ挿入された常閉型の複数の幹線スイッチ要素と、当該幹線における信号線に直流電源を重畳する電源重畳手段と、各系統の幹線についてループ回路を介して信号線に流れる直流電流を検出するとともに当該検出値が所定のしきい値を超えていれば当該信号線に挿入されている幹線スイッチ要素を除く他の全ての幹線スイッチ要素を開成するスイッチ要素駆動手段とを備え、各住戸機では、制御線を介して一斉放送開始を指示する制御信号を受信したときに制御手段が住戸機スイッチ要素を閉成することを特徴とする。
【００１６】
この発明によれば、信号線については個別通話時を除いて全ての住戸別線が幹線と接続された状態となるから、個別通話用の信号線を一斉放送にも用いることで省配線化が図れる。しかも、個別通話の対象である住戸機の制御手段がループ回路切替スイッチ要素を閉成してループ回路を形成すると幹線制御装置の電源重畳手段から信号線に重畳される直流電源によってループ回路に直流電流が流れ、幹線制御装置においては当該信号線に挿入されている幹線スイッチ要素を除く他の全ての幹線スイッチ要素がスイッチ要素駆動手段により開成されて個別通話の対象外である住戸機が分岐接続された幹線が切り離されるために信号線を介して伝送される音声信号の減衰を抑制することができる。
【００１７】
請求項２の発明は、請求項１の発明において、幹線制御装置は、分配前の幹線における信号線の線間に挿入されて信号線に直流電流を流すループ回路を形成する状態とループ回路が形成されない状態とを切り替える第２のループ回路切替スイッチ要素と、分配後の何れかの系統の幹線について信号線に直流電流が流れると第２のループ回路切替スイッチ要素を閉成してループ回路を形成させる切替スイッチ要素駆動手段とを備えたことを特徴とする。
【００１８】
この発明によれば、分配後の何れかの系統の幹線について信号線に直流電流が流れると、切替スイッチ要素駆動手段が第２のループ回路切替スイッチ要素を閉成し、分配前の幹線における信号線にループ回路が形成されて直流電流が流れるため、共用部装置と幹線制御装置との間に別の幹線制御装置を挿入する場合においても個別通話の対象外である住戸機が分岐接続された幹線が切り離され、信号線を介して伝送される音声信号の減衰を抑制することができるとともに、幹線制御装置により幹線の分配数を増やすことが可能である。
【００１９】
請求項３の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される幹線制御装置とを備え、伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、住戸機は、共用部装置並びにドアホン子器との間で各々信号線及び子器接続線を介した通話を行う通話手段と、住戸別線の信号線に挿入された常開型の住戸機スイッチ要素と、制御線を介して個別通話の開始を指示する制御信号を受信したときに住戸機スイッチ要素を閉成する制御手段とを備え、幹線制御装置は、共用部装置側の幹線から分配された前記複数系統の幹線における信号線にそれぞれ挿入された常閉型の複数の幹線スイッチ要素と、制御線を介して何れかの住戸機に対して伝送された個別通話の開始を指示する制御信号を受信したときに当該住戸機が住戸別線を介して分岐接続されている幹線を除く他の全ての系統の幹線における信号線に挿入されている幹線スイッチ要素を開成するスイッチ要素駆動手段とを備え、各住戸機では、制御線を介して一斉放送開始を指示する制御信号を受信したときに制御手段が住戸機スイッチ要素を閉成することを特徴とする。
【００２０】
この発明によれば、信号線については個別通話時を除いて全ての住戸別線が幹線と接続された状態となるから、個別通話用の信号線を一斉放送にも用いることで省配線化が図れる。しかも、幹線制御装置においては個別通話の開始を指示する制御信号を受信したスイッチ要素駆動手段が、個別通話の対象である住戸機が分岐接続された信号線に挿入されている幹線スイッチ要素を除く他の全ての幹線スイッチ要素を開成して個別通話の対象外である住戸機が分岐接続された幹線を切り離すため、信号線を介して伝送される音声信号の減衰を抑制することができるとともに、請求項２の発明のような切替スイッチ要素駆動手段が不要となる。
【００２１】
請求項４の発明は、請求項３の発明において、複数台の住戸機がそれぞれ分岐接続された複数系統の幹線と幹線制御装置が接続された幹線との間に挿入される幹線分配器を備え、共用部装置は、来訪者を撮像するカメラと、カメラで撮像された映像を伝送する映像信号を音声信号よりも高周波で周波数変調する周波数変調手段とを備え、幹線制御装置は、共用部装置の周波数変調手段で変調された映像信号を信号線に周波数多重化する映像信号多重化手段を備え、住戸機は、信号線を介して伝送される音声信号から映像信号を分離するとともに分離した映像信号を復調する映像信号分離復調手段と、復調された映像信号により共用部装置のカメラで撮像された映像を表示するモニタとを備え、幹線分配器は、幹線制御装置側の幹線から分配された前記複数系統の幹線における信号線にそれぞれ挿入された常閉型の複数の分岐スイッチ要素と、制御線を介して何れかの住戸機に対して伝送された個別通話の開始を指示する制御信号を受信したときに当該住戸機が住戸別線を介して分岐接続されている幹線を除く他の全ての系統の幹線における信号線に挿入されている分岐スイッチ要素を開成する分岐スイッチ要素駆動手段とを備えたことを特徴とする。
【００２２】
この発明によれば、複数系統の幹線のうちで個別通話時に個別通話の対象である住戸機が住戸別線を介して分岐接続された幹線のみを残して他の幹線を切り離すように動作する幹線分配器を備えたので、幹線制御装置の代わりに幹線分配器を用いて幹線を複数系統に分配することができる。
【００２３】
請求項５の発明は、請求項１〜４の何れかの発明において、共用部装置は、来訪者を撮像するカメラと、カメラで撮像された映像を伝送する映像信号を音声信号よりも高周波で周波数変調する周波数変調手段とを備え、幹線制御装置は、共用部装置の周波数変調手段で変調された映像信号を信号線に周波数多重化する映像信号多重化手段と、信号線を介して伝送される映像信号の搬送波を検出するとともに搬送波が検出されているときにのみ幹線スイッチ要素の開成動作を許可する搬送波検出手段とを備え、住戸機は、信号線を介して伝送される音声信号から映像信号を分離するとともに分離した映像信号を復調する映像信号分離復調手段と、復調された映像信号により共用部装置のカメラで撮像された映像を表示するモニタとを備えたことを特徴とする。
【００２４】
この発明によれば、共用部装置から選択された１台の住戸機が直流電流を流すループ回路を形成し且つ搬送波検出手段により信号線を介して伝送される映像信号の搬送波を検出しているときに幹線制御装置のスイッチ要素駆動手段が幹線スイッチ要素を開成するため、個別通話への経路の切替が確実に行える。
【００２５】
請求項６の発明は、請求項１又は２の発明において、複数台の住戸機がそれぞれ分岐接続された複数系統の幹線と幹線制御装置が接続された幹線との間に挿入される幹線分配器を備え、共用部装置は、来訪者を撮像するカメラと、カメラで撮像された映像を伝送する映像信号を音声信号よりも高周波で周波数変調する周波数変調手段とを備え、幹線制御装置は、共用部装置の周波数変調手段で変調された映像信号を信号線に周波数多重化する映像信号多重化手段と、信号線を介して幹線分配器に動作電源を供給する動作電源供給手段と、スイッチ要素駆動手段における前記しきい値を動作電源供給手段から動作電源を供給する幹線分配器の台数に応じた値に設定するしきい値設定手段とを備え、住戸機は、信号線を介して伝送される音声信号から映像信号を分離するとともに分離した映像信号を復調する映像信号分離復調手段と、復調された映像信号により共用部装置のカメラで撮像された映像を表示するモニタとを備えたことを特徴とする。
【００２６】
この発明によれば、複数系統の幹線のうちで個別通話時に個別通話の対象である住戸機が住戸別線を介して分岐接続された幹線のみを残して他の幹線を切り離すように動作する幹線分配器を備えたので、幹線制御装置の代わりに幹線分配器を用いて幹線を複数系統に分配することができる。しかも、幹線制御装置の動作電源供給手段から信号線を介して動作電源を供給する幹線分配器の台数に応じて幹線制御装置のスイッチ要素駆動手段におけるしきい値をしきい値設定手段で設定可能としたため、幹線分配器の台数にかかわらず、個別通話時における幹線の切り離しを行うことができる。
【００２７】
請求項７の発明は、請求項１又は２の発明において、複数台の住戸機がそれぞれ分岐接続された複数系統の幹線と幹線制御装置が接続された幹線との間に挿入される幹線分配器を備え、共用部装置は、来訪者を撮像するカメラと、カメラで撮像された映像を伝送する映像信号を音声信号よりも高周波で周波数変調する周波数変調手段とを備え、幹線制御装置は、共用部装置の周波数変調手段で変調された映像信号を信号線に周波数多重化する映像信号多重化手段と、信号線を介して幹線分配器に動作電源を供給する動作電源供給手段と、１台の幹線制御装置から出力される一つの幹線に対して接続可能な最大台数の幹線分配器における消費電流を合計した電流最大値よりも大きな直流電流をループ回路に流す前記電源重畳手段と、ループ回路に流れる直流電流の検出値と比較される前記しきい値が幹線分配器における消費電流を合計した電流最大値より大きい値に設定された前記スイッチ要素駆動手段とを備え、住戸機は、信号線を介して伝送される音声信号から映像信号を分離するとともに分離した映像信号を復調する映像信号分離復調手段と、復調された映像信号により共用部装置のカメラで撮像された映像を表示するモニタとを備えたことを特徴とする。
【００２８】
この発明によれば、複数系統の幹線のうちで個別通話時に個別通話の対象である住戸機が住戸別線を介して分岐接続された幹線のみを残して他の幹線を切り離すように動作する幹線分配器を備えたので、幹線制御装置の代わりに幹線分配器を用いて幹線を複数系統に分配することができる。しかも、幹線制御装置の動作電源供給手段からは、１台の幹線制御装置唐出力される一つの幹線に対して接続可能な最大台数の幹線分配器における消費電流を合計した電流最大値よりも大きな直流電流をループ回路に流し、スイッチ要素駆動手段におけるしきい値を、幹線分配器における消費電流を合計した電流最大値より大きい値に設定しているため、幹線分配器の台数に応じて直流電流の電流値を調整しなくても個別通話時における幹線の切り離しを行うことができる。
【００２９】
請求項８の発明は、請求項６又は７の発明において、幹線分配器は、信号線を介して伝送される映像信号を増幅する映像信号増幅手段と、各系統の幹線についてループ回路を介して信号線に流れる直流電流を検出するとともに当該検出値が所定のしきい値を超えているときにだけ映像信号増幅手段を動作させる映像信号増幅制御手段とを備えたことを特徴とする。
【００３０】
この発明によれば、幹線分配器においては個別通話時にのみ映像信号増幅手段を動作させるので、個別通話時以外の待機時や一斉放送時には映像信号増幅制御手段による電力消費分だけ省電力化が図れる。
【００３１】
請求項９の発明は、請求項６又は７の発明において、幹線分配器は、信号線を介して供給される動作電源の電源電圧が所定の動作レベルを超えているときに信号線を介して伝送される映像信号を増幅する映像信号増幅手段を備え、住戸機は、ループ回路が形成されている状態で信号線の線間電圧を変動させる線間電圧変動手段と、個別通話の終了時に線間電圧変動手段により線間電圧を変動させた後にループ回路切替スイッチ要素を開成してループ回路を解消する前記制御手段とを備え、幹線制御装置は、前記線間電圧変動手段による信号線の線間電圧変動を検出する線間電圧変動検出手段と、ループ回路を介して信号線に流れる直流電流の検出値がしきい値を超えていれば前記動作レベルを超える電源電圧の動作電源を供給するとともに線間電圧変動検出手段によって線間電圧変動が検出されたら前記動作レベルを超える電源電圧の動作電源供給を停止する前記動作電源供給手段とを備えたことを特徴とする。
【００３２】
この発明によれば、幹線分配器においては個別通話時にのみ映像信号増幅手段を動作させるので、個別通話時以外の待機時や一斉放送時には映像信号増幅制御手段による電力消費分だけ省電力化が図れる。
【００３３】
請求項１０の発明は、請求項９の発明において、住戸機では、線間電圧変動手段が線間電圧を変動させる前にスピーカ並びにモニタをオフ状態とすることを特徴とする。
【００３４】
この発明によれば、住戸機の線間電圧変動手段が信号線の線間電圧を変動させることでスピーカから雑音が発生したり、モニタの映像が乱れることを防ぐことができる。
【００３５】
請求項１１の発明は、請求項１又は２の発明において、複数台の住戸機がそれぞれ分岐接続された複数系統の幹線と幹線制御装置が接続された幹線との間に挿入される映像増幅器を備え、共用部装置は、来訪者を撮像するカメラと、カメラで撮像された映像を伝送する映像信号を音声信号よりも高周波で周波数変調する周波数変調手段とを備え、幹線制御装置は、共用部装置の周波数変調手段で変調された映像信号を信号線に周波数多重化する映像信号多重化手段を備え、住戸機は、信号線を介して伝送される音声信号から映像信号を分離するとともに分離した映像信号を復調する映像信号分離復調手段と、復調された映像信号により共用部装置のカメラで撮像された映像を表示するモニタとを備え、映像増幅器は、信号線を介して伝送される映像信号を増幅する映像信号増幅手段と、ループ回路を介して信号線に流れる直流電流を検出するとともに当該検出値が所定のしきい値を超えているときに幹線制御装置側の幹線における信号線を介したループ回路を形成するループ回路形成手段とを備えたことを特徴とする。
【００３６】
この発明によれば、映像増幅器においてはループ回路を介して信号線に流れる直流電流を検出すると、ループ回路形成手段が幹線制御装置側の幹線における信号線を介したループ回路を形成するため、幹線制御装置で分配した信号線に映像増幅器を挿入する場合においても個別通話の対象外である住戸機が分岐接続された幹線が切り離され、信号線を介して伝送される音声信号の減衰を抑制することができるとともに、ループ形成回路を介して流れる直流電流をカットするような機器であっても、後段へ直流電流を流すことができる。
【発明の効果】
【００３７】
請求項１の発明によれば、信号線については個別通話時を除いて全ての住戸別線が幹線と接続された状態となるから、個別通話用の信号線を一斉放送にも用いることで省配線化が図れ、しかも、個別通話の対象である住戸機の制御手段がループ回路切替スイッチ要素を閉成してループ回路を形成すると幹線制御装置の電源重畳手段から信号線に重畳される直流電源によってループ回路に直流電流が流れ、幹線制御装置においては当該信号線に挿入されている幹線スイッチ要素を除く他の全ての幹線スイッチ要素がスイッチ要素駆動手段により開成されて個別通話の対象外である住戸機が分岐接続された幹線が切り離されるために信号線を介して伝送される音声信号の減衰を抑制することができるという効果がある。
【発明を実施するための最良の形態】
【００３８】
従来の技術として説明したように、伝送線路のうち制御線Ｌｃは共用部装置（ロビーインターホン）１が相手先の住戸機２を選択するための制御信号を伝送するから、ロビーインターホン１および住戸機２において制御線Ｌｃに接続される回路は常時動作させておくことが必要である。つまり、ロビーインターホン１が住戸機２を選択するためのアドレスを含む制御信号は、すべての住戸機２に伝送されるから、すべての住戸機２において制御信号送受信回路２６およびＣＰＵ２０は常時作動する。これに対して、音声信号および映像信号に対する処理は住戸機２の選択後に行えばよいから、音声信号と映像信号とは一括して扱うことができ、しかも、音声信号と映像信号とは周波数帯域が異なるから（音声信号に対して映像信号は周波数が十分に高い）、周波数多重化の技術によって多重化することができる。
【００３９】
そこで、以下に説明する実施形態では、ロビーインターホン１と幹線制御装置３との間は図１３に示した従来構成と同様に３対のペア線からなる伝送線路を介して接続するが、幹線制御装置３において音声信号と映像信号とを多重化することにより、幹線制御装置３から先においては伝送線路に用いる線数を従来構成よりも低減した例について説明する。なお、制御信号はロビーインターホン１から住戸機２の呼出に用いるだけではなく、一斉放送の開始を指示する目的にも用いられる。この種の制御信号にはベースバンド信号を用いることもあり、ベースバンド信号は周波数帯域が広く、音声信号や映像信号との分離が困難であるから、このことからも音声信号および映像信号と制御信号とを各別に伝送することが伝送品質の点から必要になる。
（実施形態１）
本実施形態は、図１に示すように、ロビーインターホン１に対して３対のペア線からなる伝送線路を介して幹線制御装置３を接続し、さらに幹線制御装置３と複数台の住戸機２とを２対のペア線からなる伝送線路を介して接続したものである（但し、同図では制御線Ｌｃを省略している）。２対のペア線からなる伝送線路は、図１３に示した従来構成と同様にロビーインターホン１に接続される幹線Ｌ１と、住戸機２に接続される住戸別線Ｌ２とからなり、幹線Ｌ１と住戸別線Ｌ２との間には分岐器７が挿入される。図１を見ればわかるように、本実施形態の基本的な構成は図１３に示した従来構成と同様であって、図１において図１３に示した従来構成と同機能の構成には同符号を付してある。
【００４０】
本実施形態と従来構成との主な相違点は、図１３に示した従来構成における伝送線路では通話線Ｌａと映像線Ｌｂと制御線Ｌｃとの３対のペア線を用いていたのに対して、本実施形態では、ロビーインターホン１と幹線制御装置３の間の伝送線路は同じく３対のペア線を用いるが、幹線制御装置３から住戸機２までの伝送線路には信号線Ｌｄと制御線Ｌｃ（図示せず）との２対のペア線を用いている点である。但し、ロビーインターホン１と幹線制御装置３との間では、図１３に示した従来構成と同様に通話制御装置５を介して通話線Ｌａ及び制御線Ｌｃ（図示せず）が接続されている。
【００４１】
信号線Ｌｄは音声信号と映像信号とをともに伝送するものであって、音声信号と映像信号との両方で信号線Ｌｄを用いるために、幹線制御装置３に及び住戸機２にはそれぞれ多重分離回路２０１，３４Ａ，３４Ｂを設けている。住戸機２の多重分離回路２０１は、音声回路２４ｃと信号線Ｌｄとの間に挿入される低周波通過部２０１ａと、結合トランス２５ｃと信号線Ｌｄとの間に挿入される高周波通過部２０１ｂとからなる。低周波通過部２０１ａは音声信号伝送帯域に対して低インピーダンスであって映像信号帯域に対して高インピーダンスのものを用い、高周波通過部２０１ｂは音声信号伝送帯域に対して高インピーダンスであって映像信号伝送帯域に対して低インピーダンスのものを用いる。図示例では、低周波通過部２０１ａとしてインダクタを用い、高周波通過部２０１ｂとしてコンデンサを用いている。また、幹線制御装置３の多重分離回路３４Ａ，３４Ｂは、音声信号伝送帯域に対して低インピーダンスであって映像信号帯域に対して高インピーダンスとなるインダクタを、信号線Ｌｄが接続された分配回路３１ｃの２次側と通話線Ｌａとの間にそれぞれ挿入して構成される。
【００４２】
また本実施形態における幹線制御装置３は、多重分離回路３４Ａ，３４Ｂと分配回路３１ｃの２次側との間にそれぞれ挿入された常閉型の２つの幹線リレー接点３５Ａ，３５Ｂと、通話線Ｌａを介して２つの系統の幹線Ｌ１における信号線Ｌｄにそれぞれ直流電源を重畳する電源重畳回路３２と、電源重畳回路３２によって重畳される直流電源によりループ回路（後述する）を介して信号線Ｌｄに流れる直流電流を各別に検出する電流検出回路３６と、電流検出回路３６で検出された信号線Ｌｄの直流電流検出値が所定のしきい値を超えていれば幹線リレー（図示せず）を駆動することによりしきい値を超える直流電流が検出されていない信号線Ｌｄに接続されている幹線リレー接点３５Ａ又は３５Ｂを開成する幹線切替制御回路３７とを備えている。ここで、幹線制御装置３においては２線の通話線Ｌａの一方がグランドに接続されている。このように本実施形態では、幹線リレー接点３５Ａ，３５Ｂ並びに幹線リレーが幹線スイッチ要素に相当し、電流検出回路３６及び幹線切替制御回路３７が幹線スイッチ要素駆動手段に相当する。
【００４３】
一方、住戸機２には、住戸別線２における信号線Ｌｄの線間を閉結する閉結スイッチ２００ａを有したループ形成回路２００が設けられており、ＣＰＵ２０によって閉結スイッチ２００ａが閉結されたときに住戸別線Ｌ２及び幹線Ｌ１における信号線Ｌｄ並びに幹線制御装置３内の通話線Ｌａを介してループ回路が形成される。そして、このループ回路には幹線制御装置３の電源重畳回路３２から重畳される直流電源によって略一定の直流電流が流れることになる。尚、ループ回路に流れる直流電流が音声回路２４ｃに流れ込むのを阻止するため、低周波通過部２０１ａと音声回路２４ｃとの間における信号線Ｌｄに直流阻止用のコンデンサ２４ｄが挿入されている。幹線制御装置３においては、電流検出回路３６がループ回路に流れる直流電流を検出するとともにその検出値が所定のしきい値を超えていれば、２系統の幹線Ｌ１のうちで直流電流を検出した方の幹線Ｌ１を示すループ回路検出信号を幹線切替制御回路３７に出力し、ループ回路検出信号を受け取った幹線切替制御回路３７が２系統の幹線Ｌ１における信号線Ｌｄのうちで直流電流を検出しなかった方の幹線Ｌ１における信号線Ｌｄと通話線Ｌａとの間に挿入されている幹線リレー接点３５Ａ又は３５Ｂを開成する。尚、幹線制御装置３においてもループ回路に流れる直流電流が分配回路３１ｃの出力側に流れ込むのを阻止するため、通話線Ｌａと２系統の幹線Ｌ１1，Ｌ１2における信号線Ｌｄの接続点と分配回路３１ｃの２次側との間にそれぞれコンデンサ３１ｄが挿入されている。
【００４４】
次に本実施形態の要部の動作を説明する。但し、以下では説明を簡単にするために、幹線制御装置３を介して分配された２系統の幹線Ｌ１をそれぞれ幹線Ｌ１1及び幹線Ｌ１2と表記し、一方の幹線Ｌ１1に分岐器７を介して分岐接続された複数台の住戸機２を住戸機２11，…、他方の幹線Ｌ１2に分岐器７を介して分岐接続された複数台の住戸機２を住戸機２21，２22，…と表記する。尚、図１は何れの住戸機２もロビーインターホン１で選択されていない状態（以下、「待機状態」と呼ぶ）を示している。
【００４５】
まず、ロビーインターホン１と、ロビーインターホン１で選択された１台の住戸機２（例えば、住戸機２21）との間で個別通話する場合について説明する。ロビーインターホン１で選択された住戸機２21に対して通話制御装置５から制御線Ｌｃを介して制御信号（呼出コマンド）が伝送され、この制御信号に含まれるアドレスが一致した住戸機２21では、ＣＰＵ２０が呼出コマンドに応じて住戸機リレーのリレー接点２９を閉成するとともにＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２21の応答釦（図示せず）を押操作すると、住戸機２21のＣＰＵ２０が音声回路２４ｃを動作させて通話可能な状態にするとともにループ形成回路２００の閉結スイッチ２００ａを閉結して住戸別線Ｌ２及び幹線Ｌ１2における信号線Ｌｄ並びに幹線制御装置３内の通話線Ｌａを介したループ回路を形成する。幹線制御装置３では、住戸機２21のループ形成回路２００によって形成されたループ回路に流れる直流電流を電流検出回路３６で検出し、その検出値がしきい値を超えていれば幹線切替制御回路３７が幹線リレーを駆動し、ループ回路が形成されていない幹線Ｌ１1、すなわち、ロビーインターホン１に選択されなかった住戸機２11，…のみが分岐接続されている幹線Ｌ１1における信号線Ｌｄと通話線Ｌａとの間に挿入された幹線リレー接点３５Ａを開成する。一方、ロビーインターホン１に選択されなかった住戸機２11，…、２22，…では、ＣＰＵ２０が住戸機リレーのリレー接点２９を閉成せず、またループ形成回路２００によってループ回路が形成されないから、ロビーインターホン１に選択された住戸機２21が分岐接続されている幹線Ｌ１2においては、幹線リレー接点３５Ｂが閉成された状態のままとなる（図２参照）。
【００４６】
上述した動作により、幹線制御装置３においては２系統の幹線Ｌ１1，Ｌ１2のうちでロビーインターホン１に選択された住戸機２21が分岐接続された幹線Ｌ１2における信号線Ｌｄのみが通話線Ｌａと接続され、他方の幹線Ｌ１1における信号線Ｌｄが通話線Ｌａと切り離されるから、ロビーインターホン１と選択された住戸機２21との間でのみ通話が可能になるとともに、選択された住戸機２21でのみロビーインターホン１のカメラで撮像された来訪者をモニタ２２に表示することが可能になる。そして、個別通話の終了時には住戸機２21のＣＰＵ２０が住戸機リレーのリレー接点２９を開成するとともに閉結スイッチ２００ａを開いてループ回路を開放し、幹線制御装置３では、ループ回路が開放されて直流電流が検出されなくなると幹線切替制御回路３７が幹線リレーの駆動を停止し幹線リレー接点３５Ａを閉成して待機状態に戻る。
【００４７】
次に、集合住宅の管理室に設置された一斉放送機器（例えば、いわゆる警報監視盤などのように音声入力が可能であって幹線を介して各住戸機に音声信号を送信し得る構成を備えた機器）から全ての住戸の住戸機２に対して避難誘導等のための音声を一斉に放送する場合について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。但し、何れの住戸機２においてもＣＰＵ２０はループ形成回路２００によるループ回路の形成を行わない。したがって、幹線制御装置３では、幹線Ｌ１1，Ｌ１2における信号線Ｌｄの何れにも電流検出回路３６で直流電流が検出されないことから、幹線切替制御回路３７が幹線リレーを駆動せず、各幹線Ｌ１1，Ｌ１2における信号線Ｌｄと通話線Ｌａとの間に挿入された幹線リレー接点３５Ａ，３５Ｂは双方とも閉成した状態に維持される。
【００４８】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了して待機状態に戻る。
【００４９】
上述した動作により、幹線制御装置３においては２系統の幹線Ｌ１1，Ｌ１2における信号線Ｌｄが双方とも通話線Ｌａと接続されるから、一斉放送機器から通話制御装置５を介して通話線Ｌａに送出される一斉放送用の音声信号が各幹線Ｌ１1，Ｌ１2にそれぞれ分岐接続されている全ての住戸機２に伝送されてスピーカ２１ｂから出力される。
【００５０】
このように本実施形態によれば、一斉放送開始を指示する制御信号（一斉放送開始コマンド）が制御線Ｌｃを介して伝送され、各系統の幹線Ｌ１1，Ｌ１2において当該幹線Ｌ１1，Ｌ１2に分岐接続された複数台の住戸機２で住戸機リレーのリレー接点２９が閉成されれば、幹線制御装置３においては全ての系統の幹線Ｌ１1，Ｌ１2における信号線Ｌｄが通話線Ｌａと接続されることとなるから、個別通話時と同じ伝送線路（信号線Ｌｄ）を使って複数台の住戸機２に向けた一斉放送が可能となる。しかも、個別通話時にはロビーインターホン１で選択された住戸機２が分岐接続されている幹線Ｌ１における信号線Ｌｄのみが通話線Ｌａと接続され、ロビーインターホン１で選択されなかった住戸機２のみが分岐接続されている幹線Ｌ１における信号線Ｌｄは通話線Ｌａと切り離されるから、個別通話時に不要な幹線Ｌ１を切り離すことで伝送線路の容量成分による音声信号の減衰を抑制することができる。
【００５１】
尚、本実施形態では一斉放送の対象をシステムに含まれる全ての住戸機２として説明したが、必ずしも全ての住戸機２を一斉放送の対象とする必要はなく、例えば、一斉放送の内容に応じて対象とする住戸機２を限定してもよい。
【００５２】
（実施形態２）
本実施形態は、図３及び図４に示すように複数台の幹線制御装置３を多段に接続できるようにした点に特徴がある。但し、基本構成は実施形態１と共通であるから、共通の構成要素には同一の符号を付して説明を省略する。
【００５３】
本実施形態の幹線制御装置３は、分配前の幹線Ｌ１における信号線Ｌｄに直流電流を流すループ回路を形成する状態とループ回路が形成されない状態とを切り替える第２のループ形成回路３８を備えている。第２のループ形成回路３８は、分配前の幹線Ｌ１の信号線Ｌｄ（又は映像線Ｌｂ）における結合トランス３１ａの１次側の線間に直流阻止用のコンデンサ３１ｅを介して挿入された閉結スイッチ３８ａと、電流検出回路３６で検出された検出値がしきい値を超えているときに閉結スイッチ３８ａを閉結する駆動回路３８ｂとで構成されている。そして本実施形態では、図３に示すようにロビーインターホン１と幹線制御装置３との間に別の幹線制御装置３を挿入して複数台の幹線制御装置３を多段に接続することで幹線Ｌ１を３系統以上に分配させるようにしている。
【００５４】
次に本実施形態の要部の動作を説明する。但し、以下では説明を簡単にするために、ロビーインターホン１並びに通話制御装置５に直接接続される幹線制御装置３を幹線制御装置３1、幹線制御装置３1で分配された幹線Ｌ１1，Ｌ１2に接続されてさらに２系統の幹線Ｌ１に分配する幹線制御装置３を幹線制御装置３2，…、幹線制御装置３2を介して幹線Ｌ１1から分配された２系統の幹線をそれぞれ幹線Ｌ１11及び幹線Ｌ１12と表記し、各幹線Ｌ１11、Ｌ１12に分岐器７を介して分岐接続された複数台の住戸機２を住戸機２111，…、住戸機２121，２122，…と表記する。また本実施形態においても幹線Ｌ１1，Ｌ１2，Ｌ１11，Ｌ１12における制御線Ｌｄの図示は省略している。
【００５５】
まず、ロビーインターホン１と、ロビーインターホン１で選択された１台の住戸機２（例えば、住戸機２121）との間で個別通話する場合について説明する。ロビーインターホン１で選択された住戸機２121に対して通話制御装置５から制御線Ｌｃを介して制御信号（呼出コマンド）が伝送され、この制御信号に含まれるアドレスが一致した住戸機２121では、ＣＰＵ２０が呼出コマンドに応じて住戸機リレーのリレー接点２９を閉成するとともにＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２121の応答釦（図示せず）を押操作すると、住戸機２121のＣＰＵ２０が音声回路２４ｃを動作させて通話可能な状態にするとともにループ形成回路２００の閉結スイッチ２００ａを閉結してループ回路を形成する。幹線制御装置３2では、住戸機２121のループ形成回路２００によって形成されたループ回路に流れる直流電流を電流検出回路３６で検出し、その検出値がしきい値を超えていれば幹線切替制御回路３７が幹線リレーを駆動し、ループ回路が形成されていない幹線Ｌ１11、すなわち、ロビーインターホン１に選択されなかった住戸機２111，…のみが分岐接続されている幹線Ｌ１11における信号線Ｌｄと通話線Ｌａとの間に挿入された幹線リレー接点３５Ａを開成する。一方、ロビーインターホン１に選択されなかった住戸機２111，…、２122，…では、ＣＰＵ２０が住戸機リレーのリレー接点２９を閉成せず、またループ形成回路２００によってループ回路が形成されないから、ロビーインターホン１に選択された住戸機２121が分岐接続されている幹線Ｌ１2においては、幹線リレー接点３５Ｂが閉成された状態のままとなる。さらに幹線制御装置３2では、電流検出回路３６で検出された検出値がしきい値を超えていることから、駆動回路３８ｂが閉結スイッチ３８ａを閉結して第２のループ形成回路３８により幹線Ｌ１1における信号線Ｌｄを介したループ回路を形成する。尚、幹線Ｌ１2に接続される幹線制御装置（図示せず）においては、ループ回路が形成されないために第２のループ形成回路３８によってループ回路が形成されることはない。
【００５６】
そして、幹線制御装置３1では、幹線制御装置３2の第２のループ形成回路３８によって幹線Ｌ１1における信号線Ｌｄを介して形成されるループ回路の直流電流を電流検出回路３６で検出し、その検出値がしきい値を超えていれば幹線切替制御回路３７が幹線リレーを駆動してループ回路が形成されていない幹線Ｌ１2における信号線Ｌｄと通話線Ｌａとの間に挿入された幹線リレー接点３５Ｂを開成するとともに、閉結スイッチ３８ａを閉結して第２のループ形成回路３８により幹線Ｌ１における信号線Ｌｄ（図示例では通話線Ｌａ及び映像線Ｌｂ）を介したループ回路を形成する（図４参照）。
【００５７】
上述した動作により、幹線制御装置３2においては２系統の幹線Ｌ１11，Ｌ１12のうちでロビーインターホン１に選択された住戸機２121が分岐接続された幹線Ｌ１12のみが幹線制御装置３1側の幹線Ｌ１1と接続され、他方の幹線Ｌ１11が幹線制御装置３1側の幹線Ｌ１1と切り離され、さらに幹線制御装置３1においては２系統の幹線Ｌ１1，Ｌ１2のうちで幹線制御装置３2と接続された幹線Ｌ１1のみがロビーインターホン１側の幹線Ｌ１（図示例では通話線Ｌａと映像線Ｌｂ）と接続され、幹線制御装置３3と接続された他方の幹線Ｌ１2がロビーインターホン１側の幹線Ｌ１（図示例では通話線Ｌａと映像線Ｌｂ）と切り離される。その結果、ロビーインターホン１と選択された住戸機２121との間でのみ通話が可能になるとともに、選択された住戸機２121でのみロビーインターホン１のカメラで撮像された来訪者をモニタ２２に表示することが可能になる。
【００５８】
次に一斉放送時の動作について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。但し、何れの住戸機２においてもＣＰＵ２０はループ形成回路２００によるループ回路の形成を行わない。したがって、幹線制御装置３2では、幹線Ｌ１11，Ｌ１12における信号線Ｌｄの何れにも電流検出回路３６で直流電流が検出されないことから、幹線切替制御回路３７が幹線リレーを駆動せず、各幹線Ｌ１11，Ｌ１12における信号線Ｌｄと通話線Ｌａとの間に挿入された幹線リレー接点３５Ａ，３５Ｂは双方とも閉成した状態に維持されるとともに、第２のループ形成回路３８によるループ回路の形成も行われない。故に、幹線制御装置３1においても、幹線Ｌ１1，Ｌ１2における信号線Ｌｄの何れにも電流検出回路３６で直流電流が検出されないから、幹線切替制御回路３７が幹線リレーを駆動せず、各幹線Ｌ１1，Ｌ１2における信号線Ｌｄと通話線Ｌａとの間に挿入された幹線リレー接点３５Ａ，３５Ｂは双方とも閉成した状態に維持される。
【００５９】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了して待機状態に戻る。
【００６０】
上述した動作により、２台の幹線制御装置３2においては各２系統の幹線Ｌ１11，Ｌ１12が何れも幹線制御装置３1を介してロビーインターホン１側の幹線Ｌ１（図示例では通話線Ｌａと映像線Ｌｂ）と接続されるから、一斉放送機器から通話制御装置５を介して通話線Ｌａに送出される一斉放送用の音声信号が各幹線Ｌ１11，Ｌ１12にそれぞれ分岐接続されている全ての住戸機２に伝送されてスピーカ２１ｂから出力される。
【００６１】
而して、本実施形態の幹線制御装置３においては、分配前の幹線Ｌ１における信号線Ｌｄに直流電流を流すループ回路を形成する状態とループ回路が形成されない状態とを切り替える第２のループ形成回路３８を備え、電流検出回路３６で検出された検出値がしきい値を超えているときに駆動回路３８ｂによって閉結スイッチ３８ａが閉結されることで第２のループ形成回路３８がループ回路を形成する状態に切り替えられるから、ロビーインターホン１と幹線制御装置３2との間に別の幹線制御装置３1を挿入し、図示例のように複数台の幹線制御装置３1，３2を多段に接続する場合においても個別通話の対象外である住戸機２が分岐接続された幹線Ｌ１が切り離され、信号線Ｌｄを介して伝送される音声信号の減衰を抑制することができる。
【００６２】
尚、本実施形態においても全ての住戸機２を一斉放送の対象とする必要はなく、例えば、一斉放送の内容に応じて対象とする住戸機２を限定してもよい。
【００６３】
（実施形態３）
本実施形態は、図５に示すように幹線制御装置３に内部回路を制御するＣＰＵ３０が設けられ、ＣＰＵ３０には制御線Ｌｃとのインタフェースとなる制御信号送受信回路３９が接続されるとともに、住戸機２にはループ形成回路２００が設けられていない点に特徴がある。但し、その他の基本構成は実施形態１と共通であるから、共通の構成要素には同一の符号を付して説明を省略する。
【００６４】
幹線制御装置３に設けられた制御信号送受信回路３９は、ＣＰＵ３０から出力された制御信号を制御線Ｌｃに送出し、制御線Ｌｃから受信した制御信号をＣＰＵ３０に引き渡す機能を有する。そして、幹線制御装置３のＣＰＵ３０では、制御線Ｌｃを介して通話制御装置５から伝送される制御信号（呼出コマンド）を制御信号送受信回路３９から受け取ると、制御信号に含まれるアドレスに基づき、幹線切替制御回路３７を制御して幹線リレー接点３５Ａ又は３５Ｂの何れか一方のみを開成し、個別通話に不要となる方の幹線Ｌ１における信号線Ｌｄを通話線Ｌａから切り離すように動作する。
【００６５】
次に本実施形態の要部の動作を説明する。まず、ロビーインターホン１と、ロビーインターホン１で選択された１台の住戸機２（例えば、住戸機２21）との間で個別通話する場合について説明する。ロビーインターホン１で選択された住戸機２21に対して通話制御装置５から制御線Ｌｃを介して制御信号（呼出コマンド）が伝送され、この制御信号に含まれるアドレスが一致した住戸機２21では、ＣＰＵ２０が呼出コマンドに応じて住戸機リレーのリレー接点２９を閉成するとともにＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２21の応答釦（図示せず）を押操作すると、住戸機２21のＣＰＵ２０が音声回路２４ｃを動作させて通話可能な状態にする。幹線制御装置３では、制御信号送受信回路３９で受信した上記制御信号がＣＰＵ３０に引き渡されると、ＣＰＵ３０が制御信号に含まれるアドレスに基づいてロビーインターホン１で選択された住戸機２21が分岐接続されている幹線Ｌ１2を判定し、さらにその判定結果に応じて幹線切替制御回路３７を制御し、ロビーインターホン１で選択されなかった住戸機２11のみが分岐接続されている幹線Ｌ１1における信号線Ｌｄと通話線Ｌａとの間に挿入されている幹線リレー接点３５Ａを開成し、他方の幹線リレー接点３５Ｂは閉成された状態に維持される。
【００６６】
上述した動作により、幹線制御装置３においては２系統の幹線Ｌ１1，Ｌ１2のうちでロビーインターホン１に選択された住戸機２21が分岐接続された幹線Ｌ１2における信号線Ｌｄのみが通話線Ｌａと接続され、他方の幹線Ｌ１1における信号線Ｌｄが通話線Ｌａと切り離されるから、実施形態１と同様にロビーインターホン１と選択された住戸機２21との間でのみ通話が可能になるとともに、選択された住戸機２21でのみロビーインターホン１のカメラで撮像された来訪者をモニタ２２に表示することが可能になる。そして、個別通話の終了時には住戸機２21のＣＰＵ２０が住戸機リレーのリレー接点２９を開成するとともに制御信号送受信回路２６を介して制御線Ｌｃに制御信号（個別通話終了コマンド）を送信し、幹線制御装置３では、制御信号送受信回路３９で受信した上記制御信号がＣＰＵ３０に引き渡されると、ＣＰＵ３０が幹線切替制御回路３７を制御して幹線リレー接点３５Ａを閉成することで待機状態に戻る。尚、幹線制御装置３においては、制御信号に含まれるアドレスと幹線Ｌ１1，Ｌ１2との対応関係を図示しないメモリに記憶しており、このメモリに記憶された対応関係に基づいてＣＰＵ３０がロビーインターホン１で選択された住戸機２21が分岐接続されている幹線Ｌ１2を判別している。
【００６７】
次に一斉放送時の動作について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。また、幹線制御装置３では、制御信号送受信回路３９で受信した上記制御信号がＣＰＵ３０に引き渡されても一斉放送開始コマンドであることから幹線切替制御回路３７に対する制御は行わず、各幹線Ｌ１1，Ｌ１2における信号線Ｌｄと通話線Ｌａとの間に挿入された幹線リレー接点３５Ａ，３５Ｂは双方とも閉成した状態に維持される。
【００６８】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了して待機状態に戻る。
【００６９】
上述した動作により、幹線制御装置３においては２系統の幹線Ｌ１1，Ｌ１2における信号線Ｌｄが双方とも通話線Ｌａと接続されるから、一斉放送機器から通話制御装置５を介して通話線Ｌａに送出される一斉放送用の音声信号が各幹線Ｌ１1，Ｌ１2にそれぞれ分岐接続されている全ての住戸機２に伝送されてスピーカ２１ｂから出力される。
【００７０】
このように本実施形態においても実施形態１と同様に、個別通話時と同じ伝送線路（信号線Ｌｄ）を使って複数台の住戸機２に向けた一斉放送が可能になるとともに、個別通話時にはロビーインターホン１で選択された住戸機２が分岐接続されている幹線Ｌ１における信号線Ｌｄのみが通話線Ｌａと接続され、ロビーインターホン１で選択されなかった住戸機２のみが分岐接続されている幹線Ｌ１における信号線Ｌｄは通話線Ｌａと切り離されるから、個別通話時に不要な幹線Ｌ１を切り離すことで伝送線路の容量成分による音声信号の減衰を抑制することができる。しかも、実施形態１，２のように全ての住戸機２にループ形成回路２００を設けると同時に幹線制御装置３に電源重畳回路３２を設ける場合に比較して部品点数の削減によるコストダウンが図れるという利点がある。
【００７１】
尚、本実施形態においても全ての住戸機２を一斉放送の対象とする必要はなく、例えば、一斉放送の内容に応じて対象とする住戸機２を限定してもよい。
【００７２】
（実施形態４）
本実施形態は、図６に示すように幹線制御装置３で分配された幹線Ｌ１をさらに複数系統（図示例では２系統）に分配するための幹線分配器４を備えた点に特徴がある。但し、幹線分配器４以外の構成については実施形態３と共通であり、また、幹線分配器４の基本構成については従来例と共通であるから、それぞれ共通の構成要素には同一の符号を付して説明を省略する。尚、本実施形態における幹線制御装置３では、信号線Ｌｄを介して幹線分配器４への給電を行うために電源重畳回路３２を備えている。
【００７３】
幹線分配器４では、幹線制御装置３から信号線Ｌｄを介して入力するＦＭ映像信号が平衡−不平衡変換のための結合トランス４１ａを介して増幅器４１ｂに入力され、増幅器４１ｂで増幅された後に分配回路４１ｃにより２系統に分配される。幹線分配器４には信号線Ｌｄに重畳された直流電源から増幅器４１ｂ等の内部回路の動作電源を作成する受電回路４２ａ及び電源回路４２ｂが設けられるとともに、結合トランス４１ａの入力側と分配回路４１ｃの出力側とが、ＦＭ映像信号に対して高インピーダンスであり且つ音声信号に対して低インピーダンスとなる映像分離コイル４３を介して接続されることにより、分配後の各系統の信号線ＬｄにおいてＦＭ映像信号に音声信号が多重化されると同時に直流電源が重畳されている。
【００７４】
また、幹線分配器４において映像分離コイル４３を介して結合トランス４１ａの入力側と分配回路４１ｃの出力側とを接続する経路（以下、「音声信号バイパス経路」と呼ぶ）には、映像分離コイル４３と分配回路４１ｃの出力側との間にそれぞれ常閉型の分配器リレー接点４４Ａ，４４Ｂが挿入され、図示しないリレーを駆動することでこれらの分配器リレー接点４４Ａ，４４Ｂを各別に開成する幹線切替制御回路４５が設けられている。さらに幹線分配器４には内部回路を制御するＣＰＵ４０が設けられ、ＣＰＵ４０には制御線Ｌｃとのインタフェースとなる制御信号送受信回路４６が接続される。制御信号送受信回路４６は、ＣＰＵ４０から出力された制御信号を制御線Ｌｃに送出し、制御線Ｌｃから受信した制御信号をＣＰＵ４０に引き渡す機能を有する。そして、幹線分配器４のＣＰＵ４０では、制御線Ｌｃを介して通話制御装置５から伝送される制御信号（呼出コマンド）を制御信号送受信回路４６から受け取ると、制御信号に含まれるアドレスに基づき、幹線切替制御回路４５を制御して分配器リレー接点４４Ａ又は４４Ｂの何れか一方のみを開成し、個別通話に不要となる方の幹線Ｌ１における信号線Ｌｄを音声信号バイパス経路から切り離すように動作する。
【００７５】
次に本実施形態の要部の動作を説明する。但し、以下では説明を簡単にするために、幹線制御装置３で分配された幹線Ｌ１を幹線Ｌ１1，Ｌ１2と表記し、さらに幹線分配器４で幹線Ｌ１1から２系統に分配された幹線Ｌ１を幹線Ｌ１11，Ｌ１12と表記し、各幹線Ｌ１11、Ｌ１12に分岐器７を介して分岐接続された複数台の住戸機２を住戸機２111，…、住戸機２121，２122，…と表記する。
【００７６】
まず、ロビーインターホン１と、ロビーインターホン１で選択された１台の住戸機２（例えば、住戸機２121）との間で個別通話する場合について説明する。ロビーインターホン１で選択された住戸機２121に対して通話制御装置５から制御線Ｌｃを介して制御信号（呼出コマンド）が伝送され、この制御信号に含まれるアドレスが一致した住戸機２121では、ＣＰＵ２０が呼出コマンドに応じて住戸機リレーのリレー接点２９を閉成するとともにＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２121の応答釦（図示せず）を押操作すると、住戸機２121のＣＰＵ２０が音声回路２４ｃを動作させて通話可能な状態にする。幹線分配器４では、制御信号送受信回路４６で受信した上記制御信号がＣＰＵ４０に引き渡されると、ＣＰＵ４０が制御信号に含まれるアドレスに基づいてロビーインターホン１で選択された住戸機２121が分岐接続されている幹線Ｌ１12を判定し、さらにその判定結果に応じて幹線切替制御回路４５を制御し、ロビーインターホン１で選択されなかった住戸機２111，…のみが分岐接続されている幹線Ｌ１11における信号線Ｌｄとの間の音声信号バイパス経路に挿入されている分配器リレー接点４４Ａを開成し、他方の分配器リレー接点４５Ｂは閉成された状態に維持される。また幹線制御装置３では、制御信号送受信回路３９で受信した上記制御信号がＣＰＵ３０に引き渡されると、ＣＰＵ３０が制御信号に含まれるアドレスに基づいてロビーインターホン１で選択された住戸機２121が分岐接続されている幹線Ｌ１1を判定し、さらにその判定結果に応じて幹線切替制御回路３７を制御し、ロビーインターホン１で選択されなかった住戸機２のみが分岐接続されている幹線Ｌ１2における信号線Ｌｄと通話線Ｌａとの間に挿入されている幹線リレー接点３５Ｂを開成し、他方の幹線リレー接点３５Ａは閉成された状態に維持される。
【００７７】
上述した動作により、幹線分配器４においては２系統の幹線Ｌ１11，Ｌ１12のうちでロビーインターホン１に選択された住戸機２121が分岐接続された幹線Ｌ１12における信号線Ｌｄのみが音声信号バイパス経路と接続され、他方の幹線Ｌ１11における信号線Ｌｄが音声信号バイパス経路と切り離され、さらに、幹線制御装置３においては２系統の幹線Ｌ１1，Ｌ１2のうちでロビーインターホン１に選択された住戸機２121が分岐接続された幹線Ｌ１1における信号線Ｌｄのみが通話線Ｌａと接続され、他方の幹線Ｌ１2における信号線Ｌｄが通話線Ｌａと切り離される。その結果、実施形態３と同様にロビーインターホン１と選択された住戸機２121との間でのみ通話が可能になるとともに、選択された住戸機２121でのみロビーインターホン１のカメラで撮像された来訪者をモニタ２２に表示することが可能になる。そして、個別通話の終了時には住戸機２121のＣＰＵ２０が住戸機リレーのリレー接点２９を開成するとともに制御信号送受信回路２６を介して制御線Ｌｃに制御信号（個別通話終了コマンド）を送信し、幹線制御装置３並びに幹線分配器４では、制御信号送受信回路３９，４６で受信した上記制御信号がＣＰＵ３０，４０に引き渡されると、ＣＰＵ３０，４０が幹線切替制御回路３７，４５を制御して幹線リレー接点３５Ａ及び分配器リレー接点４４Ｂを閉成することで待機状態に戻る。尚、幹線分配器４においては、幹線制御装置３と同様に制御信号に含まれるアドレスと幹線Ｌ１11，Ｌ１12との対応関係を図示しないメモリに記憶しており、このメモリに記憶された対応関係に基づいてＣＰＵ４０がロビーインターホン１で選択された住戸機２121が分岐接続されている幹線Ｌ１12を判別している。
【００７８】
次に一斉放送時の動作について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。また、幹線制御装置３及び幹線分配器４では、制御信号送受信回路３９，４６で受信した上記制御信号がＣＰＵ３０，４０に引き渡されても一斉放送開始コマンドであることから幹線切替制御回路３７，４５に対する制御は行わず、幹線リレー接点３５Ａ，３５Ｂ並びに分配器リレー接点４４Ａ，４４Ｂは双方とも閉成した状態に維持される。
【００７９】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了して待機状態に戻る。
【００８０】
上述した動作により、幹線制御装置３並びに幹線分配器４においては２系統の幹線Ｌ１1，Ｌ１2、Ｌ１12，Ｌ１12における信号線Ｌｄが双方とも通話線Ｌａ若しくは音声信号バイパス経路と接続されるから、一斉放送機器から通話制御装置５を介して通話線Ｌａに送出される一斉放送用の音声信号が各幹線Ｌ１1，Ｌ１2、Ｌ１11，Ｌ１12にそれぞれ分岐接続されている全ての住戸機２に伝送されてスピーカ２１ｂから出力される。
【００８１】
このように本実施形態においては、幹線分配器４を用いて幹線Ｌ１を分配する場合においても実施形態１や３と同様に、個別通話時と同じ伝送線路（信号線Ｌｄ）を使って複数台の住戸機２に向けた一斉放送が可能になるとともに、個別通話時にはロビーインターホン１で選択された住戸機２が分岐接続されている幹線Ｌ１における信号線Ｌｄのみが通話線Ｌａと接続され、ロビーインターホン１で選択されなかった住戸機２のみが分岐接続されている幹線Ｌ１における信号線Ｌｄは通話線Ｌａと切り離されるから、個別通話時に不要な幹線Ｌ１を切り離すことで伝送線路の容量成分による音声信号の減衰を抑制することができる。
【００８２】
尚、本実施形態においても全ての住戸機２を一斉放送の対象とする必要はなく、例えば、一斉放送の内容に応じて対象とする住戸機２を限定してもよい。
【００８３】
（実施形態５）
本実施形態は、図７に示すように個別通話時に信号線Ｌｄを介して伝送されるＦＭ映像信号の搬送波（キャリア）を検出するＦＭキャリア検出回路３９を幹線制御装置３に設け、ループ回路に流れる直流電流が電流検出回路３６で検出されるとともに信号線Ｌｄを介して伝送されるＦＭ映像信号の搬送波がＦＭキャリア検出回路３９で検出されたときに幹線切替制御回路３７が幹線リレー接点３５Ａ又は３５Ｂを開成するようにした点に特徴がある。但し、本実施形態の基本構成は実施形態２と共通であるから、共通の構成要素には同一の符号を付して説明を省略する。
【００８４】
ＦＭキャリア検出回路３９は、例えばＦＭ映像信号の搬送波が有する周波数を通過させるバンドパスフィルタを有し、バンドパスフィルタを通過した周波数の信号振幅が所定のしきい値を超えたときにキャリアを検出し、キャリアを検出したときにＨレベルのキャリア検出信号を出力するものである。また、幹線制御装置３には、電流検出回路３６の代わりに、一方の幹線リレー接点３５Ａを介してループ回路に流れる電流を検出する第１の電流検出回路３６Ａと、他方の幹線リレー接点３５Ｂを介してループ回路に流れる電流を検出する第２の電流検出回路３６Ｂとが設けられ、第１及び第２の電流検出回路３６Ａ，３６Ｂでは直流電流の検出値が所定のしきい値を超えているときにＨレベルとなるループ回路検出信号を出力する。さらに、ＦＭキャリア検出回路３９が出力するキャリア検出信号が２つのアンドゲートＡＤ１，ＡＤ２の一方の入力端にそれぞれ入力され、第１の電流検出回路３６Ａが出力するループ回路検出信号が一方のアンドゲートＡＤ１の他方の入力端に入力され、第２の電流検出回路３６Ｂが出力するループ回路検出信号が他方のアンドゲートＡＤ２の他方の入力端に入力されている。幹線切替制御回路３７では、これら２つのアンドゲートＡＤ１，ＡＤ２の出力を取り込み、一方のアンドゲートＡＤ１の出力がＨレベルのときに幹線リレー接点３５Ｂを開成し、他方のアンドゲートＡＤ２の出力がＨレベルのときに幹線リレー接点３５Ａを開成するように動作する。
【００８５】
次に本実施形態の要部の動作を説明する。但し、以下では説明を簡単にするため、実施形態２と同様にロビーインターホン１並びに通話制御装置５に直接接続される幹線制御装置３を幹線制御装置３1、幹線制御装置３1で分配された幹線Ｌ１1，Ｌ１2に接続されてさらに２系統の幹線Ｌ１に分配する幹線制御装置３を幹線制御装置３2，…、幹線制御装置３2を介して幹線Ｌ１1から分配された２系統の幹線をそれぞれ幹線Ｌ１11及び幹線Ｌ１12と表記し、各幹線Ｌ１11、Ｌ１12に分岐器７を介して分岐接続された複数台の住戸機２を住戸機２111，…、住戸機２121，２122，…と表記する。また本実施形態においても幹線Ｌ１1，Ｌ１2，Ｌ１11，Ｌ１12における制御線Ｌｄの図示は省略している。
【００８６】
まず、ロビーインターホン１と、ロビーインターホン１で選択された１台の住戸機２（例えば、住戸機２121）との間で個別通話する場合について説明する。ロビーインターホン１で選択された住戸機２121に対して通話制御装置５から制御線Ｌｃを介して制御信号（呼出コマンド）が伝送され、この制御信号に含まれるアドレスが一致した住戸機２121では、ＣＰＵ２０が呼出コマンドに応じて住戸機リレーのリレー接点２９を閉成するとともにＦＭ復調部２５ａやモニタ２２を起動してロビーインターホン１のカメラにおいて撮像された来訪者の映像を住戸機２のモニタ２２に表示させ、さらに音声回路２４ｃを通じてスピーカ２１ｂから呼出音を送出させる。そして、ロビーインターホン１からの呼出に応答して居住者が住戸機２121の応答釦（図示せず）を押操作すると、住戸機２121のＣＰＵ２０が音声回路２４ｃを動作させて通話可能な状態にするとともにループ形成回路２００の閉結スイッチ２００ａを閉結してループ回路を形成する。幹線制御装置３2では、住戸機２121のループ形成回路２００によって形成されたループ回路に流れる直流電流を第２の電流検出回路３６Ｂで検出し、その検出値がしきい値を超えていればＨレベルのループ回路検出信号を出力する。また、ＦＭキャリア検出回路３９では信号線Ｌｄを介して伝送されるＦＭ映像信号のキャリアを検出してＨレベルのキャリア検出信号を出力するから、２つの入力が何れもＨレベルとなることで一方のアンドゲートＡＤ２の出力がＨレベルとなり、幹線切替制御回路３７が幹線リレーを駆動してループ回路が形成されていない幹線Ｌ１11、すなわち、ロビーインターホン１に選択されなかった住戸機２111，…のみが分岐接続されている幹線Ｌ１11における信号線Ｌｄと通話線Ｌａとの間に挿入された幹線リレー接点３５Ａを開成する。一方、ロビーインターホン１に選択されなかった住戸機２111，…、２122，…では、ＣＰＵ２０が住戸機リレーのリレー接点２９を閉成せず、またループ形成回路２００によってループ回路が形成されないから、第１及び第２の電流検出回路３６Ａ，３６Ｂの何れからもＨレベルのループ回路検出信号が出力されず、２つのアンドゲートＡＤ１，ＡＤ２の出力が双方ともＬレベルとなる。そのため、幹線切替制御回路３７が幹線リレーを駆動せず、ロビーインターホン１に選択された住戸機２121が分岐接続されている幹線Ｌ１2においては、幹線リレー接点３５Ｂが閉成された状態のままとなる。さらに幹線制御装置３2では、第２の電流検出回路３６Ｂで検出された検出値がしきい値を超えていることから、駆動回路３８ｂが閉結スイッチ３８ａを閉結して第２のループ形成回路３８により幹線Ｌ１1における信号線Ｌｄを介したループ回路を形成する。尚、幹線Ｌ１2に接続される幹線制御装置（図示せず）においては、ループ回路が形成されないために第２のループ形成回路３８によってループ回路が形成されることはない。
【００８７】
そして、幹線制御装置３1では、幹線制御装置３2の第２のループ形成回路３８によって幹線Ｌ１1における信号線Ｌｄを介して形成されるループ回路の直流電流を第１の電流検出回路３６Ａで検出し、その検出値がしきい値を超えていればＨレベルのループ回路検出信号を出力する。また、ＦＭキャリア検出回路３９では信号線Ｌｄを介して伝送されるＦＭ映像信号のキャリアを検出してＨレベルのキャリア検出信号を出力するから、２つの入力が何れもＨレベルとなることで一方のアンドゲートＡＤ１の出力がＨレベルとなり、幹線切替制御回路３７が幹線リレーを駆動してループ回路が形成されていない幹線Ｌ１2における信号線Ｌｄと通話線Ｌａとの間に挿入された幹線リレー接点３５Ｂを開成するとともに、閉結スイッチ３８ａを閉結して第２のループ形成回路３８により幹線Ｌ１における信号線Ｌｄ（図示例では通話線Ｌａ及び映像線Ｌｂ）を介したループ回路を形成する（図７参照）。
【００８８】
上述した動作により、幹線制御装置３2においては２系統の幹線Ｌ１11，Ｌ１12のうちでロビーインターホン１に選択された住戸機２121が分岐接続された幹線Ｌ１12のみが幹線制御装置３1側の幹線Ｌ１1と接続され、他方の幹線Ｌ１11が幹線制御装置３1側の幹線Ｌ１1と切り離され、さらに幹線制御装置３1においては２系統の幹線Ｌ１1，Ｌ１2のうちで幹線制御装置３2と接続された幹線Ｌ１1のみがロビーインターホン１側の幹線Ｌ１（図示例では通話線Ｌａと映像線Ｌｂ）と接続され、幹線制御装置３3と接続された他方の幹線Ｌ１2がロビーインターホン１側の幹線Ｌ１（図示例では通話線Ｌａと映像線Ｌｂ）と切り離される。その結果、ロビーインターホン１と選択された住戸機２121との間でのみ通話が可能になるとともに、選択された住戸機２121でのみロビーインターホン１のカメラで撮像された来訪者をモニタ２２に表示することが可能になる。
【００８９】
次に一斉放送時の動作について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成する。但し、何れの住戸機２においてもＣＰＵ２０はループ形成回路２００によるループ回路の形成を行わない。したがって、幹線制御装置３2では、幹線Ｌ１11，Ｌ１12における信号線Ｌｄの何れにも第１及び第２の電流検出回路３６Ａ，３６Ｂで直流電流が検出されないことから、２つのアンドゲートＡＤ１，ＡＤ２の出力が双方ともＬレベルとなり、幹線切替制御回路３７が幹線リレーを駆動せず、各幹線Ｌ１11，Ｌ１12における信号線Ｌｄと通話線Ｌａとの間に挿入された幹線リレー接点３５Ａ，３５Ｂは双方とも閉成した状態に維持されるとともに、第２のループ形成回路３８によるループ回路の形成も行われない。故に、幹線制御装置３1においても、幹線Ｌ１1，Ｌ１2における信号線Ｌｄの何れにも第１及び第２の電流検出回路３６Ａ，３６Ｂで直流電流が検出されないから、２つのアンドゲートＡＤ１，ＡＤ２の出力が双方ともＬレベルとなり、幹線切替制御回路３７が幹線リレーを駆動せず、各幹線Ｌ１1，Ｌ１2における信号線Ｌｄと通話線Ｌａとの間に挿入された幹線リレー接点３５Ａ，３５Ｂは双方とも閉成した状態に維持される。
【００９０】
そして、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成することによって、一斉放送を終了して待機状態に戻る。
【００９１】
上述した動作により、２台の幹線制御装置３2においては各２系統の幹線Ｌ１11，Ｌ１12が何れも幹線制御装置３1を介してロビーインターホン１側の幹線Ｌ１（図示例では通話線Ｌａと映像線Ｌｂ）と接続されるから、一斉放送機器から通話制御装置５を介して通話線Ｌａに送出される一斉放送用の音声信号が各幹線Ｌ１11，Ｌ１12にそれぞれ分岐接続されている全ての住戸機２に伝送されてスピーカ２１ｂから出力される。
【００９２】
而して本実施形態によれば、ロビーインターホン１から選択された１台の住戸機２がループ回路を形成することで第１又は第２の電流検出回路３６Ａ，３６Ｂでしきい値を超える直流電流が検出され且つ信号線Ｌｄを介して伝送されるＦＭ映像信号の搬送波をＦＭキャリア検出回路３９により検出しているときに幹線切替制御回路３７が幹線リレー接点３５Ａ又は３５Ｂを開成するため、幹線制御装置３における個別通話への経路の切替が確実に行えるという利点がある。
【００９３】
尚、本実施形態においても全ての住戸機２を一斉放送の対象とする必要はなく、例えば、一斉放送の内容に応じて対象とする住戸機２を限定してもよい。
【００９４】
（実施形態６）
本実施形態は、図８に示すように幹線制御装置３で分配された幹線Ｌ１をさらに複数系統（図示例では２系統）に分配するための幹線分配器４を備えた点に特徴がある。但し、幹線分配器４以外の構成については実施形態１と共通であり、また、幹線分配器４の構成は従来例と共通であるから、それぞれ共通の構成要素には同一の符号を付して説明を省略する。
【００９５】
本実施形態では、従来例と同様に信号線Ｌｄを介して幹線制御装置３から幹線分配器４へ給電しており、システムに含まれる幹線分配器４の台数が増えるにつれて信号線Ｌｄに流れる直流電流の電流値が増加する。例えば、幹線分配器４の消費電流が２０ミリアンペア（ｍＡ）とすれば、２０ｍＡ×幹線分配器４の台数分だけ消費電流が増えることになる。さらに、個別通話時に形成されるループ回路で消費される電流分（例えば、１０ｍＡ）が幹線分配器４の消費電流に加算されるため、個別通話時に信号線Ｌｄ（ループ回路）に流れる直流電流の合計値は、２０ｍＡ×幹線分配器４の台数＋１０ｍＡとなる。したがって、幹線制御装置３の電流検出回路３６において検出値と比較するしきい値も、システムに含まれる幹線分配器４の台数に応じた値に設定する必要がある。
【００９６】
そこで本実施形態における幹線制御装置３では、電流検出回路３６を、一方の幹線リレー接点３５Ａを介してループ回路に流れる電流を検出する第１の電流検出回路３６Ａと、他方の幹線リレー接点３５Ｂを介してループ回路に流れる電流を検出する第２の電流検出回路３６Ｂとに分けるとともに、第１の電流検出回路３６Ａにおけるしきい値を設定する第１のしきい値設定回路３００Ａと、第２の電流検出回路３６Ｂにおけるしきい値を設定する第２のしきい値設定回路３００Ｂとを設けることによって、分配された各幹線Ｌ１毎にループ回路が形成されているか否かを判断するためのしきい値を設定可能としている。
【００９７】
第１及び第２のしきい値設定回路３００Ａ，３００Ｂは同構成であって、図９に示すようにループ回路中に挿入される検出抵抗Ｒｘと、オペアンプＯＰと抵抗Ｒ１〜Ｒ４で構成され、検出抵抗Ｒｘの両端に生じる電位差（ループ回路に流れる直流電流の電流値に相当）を増幅する増幅回路と、増幅回路で増幅された検出値（電圧値）Ｖｘをしきい値Ｖthと比較するコンパレータＣＰとを備え、例えば、検出値Ｖｘがしきい値Ｖthを超えたときにＨレベルのループ回路検出信号をコンパレータＣＰから出力するものである。また、第１及び第２のしきい値設定回路３００Ａ，３００Ｂも同構成であって、図９に示すように両端に定電圧が印加される可変抵抗ＶＲからなり、可変抵抗ＶＲの抵抗値を変化させることでコンパレータＣＰに入力するしきい値Ｖthが設定できるようになっている。
【００９８】
而して、図９に示すように幹線制御装置３で分配された２系統の幹線Ｌ１1，Ｌ１2のうちで一方の幹線Ｌ１1に２台の幹線分配器４1，４2が挿入されているとすれば、当該幹線Ｌ１1における信号線Ｌｄを介したループ回路には、個別通話時に１０ｍＡ＋２０ｍＡ×２台＝５０ｍＡの直流電流が流れることになるから、当該ループ回路に流れる直流電流を検出する第１の電流検出回路３６Ａに対して、第１のしきい値設定回路３００Ａの可変抵抗ＶＲを調整することにより待機時における２台の幹線分配器４1，４2の消費電流の合計値（＝４０ｍＡ）よりも大きく且つ個別通話時にループ回路に流れる直流電流の電流値（＝５０ｍＡ）よりも小さい値にしきい値Ｖthを設定すればよい。尚、本実施形態の動作は基本的に実施形態１と共通であるから説明を省略する。
【００９９】
上述のように本実施形態では、幹線制御装置３の電源重畳回路３２から信号線Ｌｄを介して動作電源を供給する幹線分配器４の台数に応じて、第１及び第２の電流検出回路３６Ａ，３６Ｂにおけるしきい値Ｖthをそれぞれ第１及び第２のしきい値設定回路３００Ａ，３００Ｂで設定可能としたため、幹線分配器４の台数にかかわらず、個別通話時における幹線Ｌ１の切り離しを行うことができる。
【０１００】
但し、電流容量等の関係から１台の幹線制御装置３から出力される一つの幹線に対して接続可能な幹線分配器４の台数には上限値（例えば、２台）が存在し、幹線分配器４の台数が０〜２台の間で変更されたとしても、待機時の消費電流は４０ｍＡ以下であり、個別通話時にループ回路に流れる電流値は５０ｍＡ以下となるから、第１及び第２の電流検出回路３６Ａ，３６Ｂにおけるしきい値を４０ｍＡよりも大きく且つ５０ｍＡよりも小さい値に固定しておけば、しきい値設定回路３００Ａ，３００Ｂを設けなくても、幹線分配器４の台数にかかわらず、個別通話時における幹線Ｌ１の切り離しを行うことができる。
【０１０１】
（実施形態７）
本実施形態は、図１０に示すように幹線分配器４が備えるＦＭ映像信号増幅用の増幅器４１ｂを個別通話時にのみ動作させるようにした点に特徴がある。但し、幹線分配器４以外の構成については実施形態１と共通であり、また、幹線分配器４の基本構成は実施形態４と共通であるから、それぞれ共通の構成要素には同一の符号を付して説明を省略する。
【０１０２】
本実施形態における幹線分配器４は、実施形態４における幹線分配器４が備えていたＣＰＵ４０並びに制御信号送受信回路４６の代わりに、個別通話時に形成されるループ回路を介して音声信号バイパス経路に流れる直流電流を各別に検出する電流検出回路４７と、電流検出回路４７で検出された直流電流の検出値が所定のしきい値を超えていればリレー（図示せず）を駆動することによりしきい値を超える直流電流が検出されていない信号線Ｌｄに接続されている分配器リレー接点４４Ａ又は４４Ｂを開成する幹線切替制御回路４５と、電流検出回路４７で検出された直流電流の検出値が所定のしきい値を超えているときに増幅器４１ｂに給電して動作させ、検出値がしきい値を超えていないときに増幅器４１ｂへの給電を停止させる増幅器制御回路４１ｄとを備えている。
【０１０３】
而して、ロビーインターホン１で選択された住戸機２（例えば、住戸機２112）においてループ形成回路２００の閉結スイッチ２００ａが閉結されると、２台の幹線分配器４1，４2の音声信号バイパス経路を介して幹線制御装置３との間にループ回路が形成され、そのループ回路に直流電流が流れることになる。各幹線分配器４1，４2では、ループ回路に流れる直流電流を電流検出回路４７で検出しその検出値がしきい値を超えているときに電流検出回路４７からループ回路検出信号を出力し、そのループ回路検出信号を受け取った幹線切替制御回路４５がリレーを駆動し、ロビーインターホン１で選択されなかった住戸機２のみが分岐接続されている幹線Ｌ１における信号線Ｌｄとの間の音声信号バイパス経路に挿入されている分配器リレー接点４４Ａ又は４４Ｂを開成し、他方の分配器リレー接点４４Ｂ又は４４Ａは閉成された状態に維持される。また、電流検出回路４７からループ回路検出信号が出力されると増幅器制御回路４１ｄが増幅器４１ｂに給電して動作させる。尚、幹線制御装置３においても、実施形態１と同様にロビーインターホン１で選択されなかった住戸機２のみが分岐接続されている幹線Ｌ１における信号線Ｌｄと通話線Ｌａとの間に挿入されている幹線リレー接点３５Ａ又は３５Ｂを開成し、他方の幹線リレー接点３５Ｂ又は３５Ａは閉成された状態に維持される。
【０１０４】
したがって、各幹線分配器４1，４2においては２系統の幹線Ｌ１のうちでロビーインターホン１に選択された住戸機２が分岐接続された幹線Ｌ１における信号線Ｌｄのみが音声信号バイパス経路と接続され、他方の幹線Ｌ１における信号線Ｌｄが音声信号バイパス経路と切り離され、さらに、幹線制御装置３においては２系統の幹線Ｌ１のうちでロビーインターホン１に選択された住戸機２が分岐接続された幹線Ｌ１における信号線Ｌｄのみが通話線Ｌａと接続され、他方の幹線Ｌ１における信号線Ｌｄが通話線Ｌａと切り離される。その結果、実施形態４と同様にロビーインターホン１と選択された住戸機２との間でのみ通話が可能になるとともに、選択された住戸機２でのみロビーインターホン１のカメラで撮像された来訪者をモニタ２２に表示することが可能になる。しかも、幹線分配器４1，４2においては個別通話時にのみ増幅器４１ｂを動作させるので、個別通話時以外の待機時や一斉放送時には増幅器４１ｂによる電力消費分だけ省電力化が図れるという利点がある。
【０１０５】
（実施形態８）
本実施形態は、図１１に示すように基本的な構成が実施形態６と共通であり、共通の構成要素には同一の符号を付して説明を省略する。
【０１０６】
本実施形態における幹線制御装置３には、分配された２系統の幹線Ｌ１1，Ｌ１2における信号線Ｌｄの線間に生じる電圧変動を各別に検出する電圧変動検出回路３０１が設けられている。また、幹線制御装置３の電源重畳回路３２は、幹線分配器４への給電電圧を２通り、すなわち、幹線分配器４の内部回路が正常に動作する定格電圧値（例えば、１０Ｖ）と、内部回路が待機動作（正常動作はしないが定格電圧値の給電が行われると直ちに正常動作に移行可能な状態）する待機電圧値（例えば、１Ｖ）とに切替可能に構成されており、第１又は第２の電圧検出回路３６Ａ，３６ＢからＨレベルのループ回路検出信号が出力されたときに待機電圧値から定格電圧値に給電電圧を切り替えるとともに、電圧変動検出回路３０１が電圧変動が検出されたときに定格電圧値から待機電圧値に給電電圧を切り替えるように動作する。
【０１０７】
また、本実施形態における住戸機２は、閉結スイッチ２００ａが閉結されてループ回路が形成されている状態で信号線Ｌｄの線間電圧を変動させる線間電圧変動手段（図示せず）がループ形成回路２００に設けられており、個別通話の終了時にＣＰＵ２０が線間電圧変動手段により信号線Ｌｄの線間電圧を変動させた後に閉結スイッチ２００ａを開いてループ回路を開放するように構成されている。尚、線間電圧変動手段については図示していないが、例えば、ループ回路中に抵抗を挿入する状態と挿入しない状態とを切り替えるような回路でよい。
【０１０８】
而して、ロビーインターホン１で選択された住戸機２（例えば、住戸機２121）においてループ形成回路２００の閉結スイッチ２００ａが閉結されると、２台の幹線分配器４1，４2の音声信号バイパス経路を介して幹線制御装置３との間にループ回路が形成され、そのループ回路に直流電流が流れることになる。幹線制御装置３では、住戸機２121のループ形成回路２００によって形成されたループ回路に流れる直流電流を第１の電流検出回路３６Ａで検出し、その検出値がしきい値を超えていればＨレベルのループ回路検出信号を出力し、幹線切替制御回路３７が幹線リレーを駆動してループ回路が形成されていない幹線Ｌ１2、すなわち、ロビーインターホン１に選択されなかった住戸機２のみが分岐接続されている幹線Ｌ１2における信号線Ｌｄと通話線Ｌａとの間に挿入された幹線リレー接点３５Ｂを開成する。さらに、第１の電圧検出回路３６ＡからＨレベルのループ回路検出信号が出力されると電源重畳回路３２が信号線Ｌｄ（通話線Ｌａ）に重畳する直流電源の電圧値を待機電圧値から定格電圧値に切り替えるから、２台の幹線分配器４1，４2の内部回路が待機動作から正常動作に移行する。
【０１０９】
一方、個別通話の終了時においては、住戸機２121のＣＰＵ２０が線間電圧変動手段により信号線Ｌｄの線間電圧を変動させた後に閉結スイッチ２００ａを開いてループ回路を開放し、さらに住戸機リレーのリレー接点２９を開成すると、信号線Ｌｄの線間電圧変動が幹線制御装置３における電圧変動検出回路３０１で検出されるから、電源重畳回路３２は給電電圧を定格電圧値から待機電圧値に切り替える。
【０１１０】
したがって、各幹線分配器４1，４2においては２系統の幹線Ｌ１のうちでロビーインターホン１に選択された住戸機２が分岐接続された幹線Ｌ１における信号線Ｌｄのみが音声信号バイパス経路と接続され、他方の幹線Ｌ１における信号線Ｌｄが音声信号バイパス経路と切り離され、さらに、幹線制御装置３においては２系統の幹線Ｌ１のうちでロビーインターホン１に選択された住戸機２が分岐接続された幹線Ｌ１における信号線Ｌｄのみが通話線Ｌａと接続され、他方の幹線Ｌ１における信号線Ｌｄが通話線Ｌａと切り離される。その結果、実施形態６と同様にロビーインターホン１と選択された住戸機２との間でのみ通話が可能になるとともに、選択された住戸機２でのみロビーインターホン１のカメラで撮像された来訪者をモニタ２２に表示することが可能になる。しかも、幹線分配器４1，４2においては個別通話時にのみ増幅器４１ｂ等の内部回路を動作させるので、個別通話時以外の待機時や一斉放送時には内部回路による電力消費分だけ省電力化が図れるという利点がある。
【０１１１】
尚、住戸機２において線間電圧変動手段によって信号線Ｌｄの線間電圧が変動した場合、音声回路２４ｃを通してスピーカ２１ｂから出力される音にノイズが発生したり、モニタ２２に表示される映像が乱れるなどの現象が生じる虞があるので、線間電圧変動手段によって信号線Ｌｄの線間電圧を変動させる前にＣＰＵ２０が音声回路２４ｃを停止するとともにモニタ２２への給電を停止することでスピーカ２１ｂ並びにモニタ２２をオフ状態とし、上述のような現象が生じるのを防ぐことが望ましい。
【０１１２】
（実施形態９）
本実施形態は、図１２に示すように幹線制御装置３で分配された幹線Ｌ１に挿入されてＦＭ映像信号を増幅する機能を有した映像増幅器８を備えた点に特徴がある。但し、映像増幅器８以外の構成については実施形態１と共通であるから、それぞれ共通の構成要素には同一の符号を付して説明を省略する。
【０１１３】
映像増幅器８には、信号線Ｌｄに挿入されて音声信号並びに直流電圧・電流を阻止する各一対のコンデンサ８３ａ，８３ｂと、２組のコンデンサ８３ａ，８３ｂの間で信号線Ｌｄに挿入されてＦＭ映像信号を増幅する増幅器８２と、信号線Ｌｄに対して２組のコンデンサ８３ａ，８３ｂ並びに増幅器８２と並列に接続され、音声信号を通過させて直流電圧・電流を阻止する直流阻止用のコンデンサ８４ａ及びＦＭ映像信号の周波数帯域で高インピーダンスであり且つ音声信号に対して低インピーダンスとなる映像分離コイル８４ｂが挿入された音声信号バイパス経路とが設けられている。さらに、映像増幅器８は、個別通話時に住戸機２との間で形成されるループ回路を介して信号線Ｌｄに流れる直流電流を検出する電流検出回路８５と、一方の組のコンデンサ８３ｂと音声信号バイパス経路との間で信号線Ｌｄの線間を閉結する閉結スイッチ８７ａを有し信号線Ｌｄに直流電流を流すループ回路を形成する状態とループ回路が形成されない状態とを切り替える第３のループ形成回路８７と、電流検出回路８５で検出された直流電流の検出値が所定のしきい値を超えていれば閉結スイッチ８７ａを閉結することにより第３のループ形成回路８７にループ回路を形成させるループ制御回路８６と、信号線Ｌｄに直流電源を重畳する電源重畳回路８８とを備えている。尚、映像増幅器８の内部電源は、電源回路８９によって商用電源（交流１００Ｖ）から生成される。
【０１１４】
而して、映像増幅器８においては信号線Ｌｄ並びに音声信号バイパス経路に直流電流を阻止するコンデンサ８３ａ，８３ｂ，８４ａが挿入されているため、住戸機２のループ形成回路２００における閉結スイッチ２００ａが閉結されても直流電流が流れるループ回路が形成されなくなってしまい、幹線制御装置３においてはループ回路形成に基づく個別通話の判断が行えなくなってしまう。これに対して本実施形態では、信号線Ｌｄの送り側に対しては電源重畳回路８８によって直流電源を重畳することで住戸機２のループ形成回路２００における閉結スイッチ２００ａが閉結されたときにループ回路に直流電流を流し、その直流電流を電流検出回路８５で検出するとともにその検出値が所定のしきい値を超えていればループ制御回路８６が閉結スイッチ８７ａを閉結することにより第３のループ形成回路８７にループ回路を形成させ、映像増幅器８と幹線制御装置３との間で信号線Ｌｄを介してループ回路を形成するようにしている。したがって、幹線制御装置３と住戸機２との間の信号線Ｌｄに映像増幅器８が挿入されていても個別通話時に直流電流が流れるループ回路を形成することができ、幹線制御装置３で分配した信号線Ｌ１1，Ｌ１2に映像増幅器８を挿入する場合においても個別通話の対象外である住戸機２が分岐接続された幹線Ｌ１が切り離され、信号線Ｌｄを介して伝送される音声信号の減衰を抑制することができる。
【図面の簡単な説明】
【０１１５】
【図１】実施形態１の待機時におけるシステム構成図である。
【図２】同上の個別通話時におけるシステム構成図である。
【図３】実施形態２の待機時におけるシステム構成図である。
【図４】同上の個別通話時におけるシステム構成図である。
【図５】実施形態３の個別通話時におけるシステム構成図である。
【図６】実施形態４の個別通話時におけるシステム構成図である。
【図７】実施形態５の個別通話時におけるシステム構成図である。
【図８】実施形態６の個別通話時におけるシステム構成図である。
【図９】同上における幹線制御装置の要部の具体回路構成図である。
【図１０】実施形態７の個別通話時におけるシステム構成図である。
【図１１】実施形態８の個別通話時におけるシステム構成図である。
【図１２】実施形態９の個別通話時におけるシステム構成図である。
【図１３】従来例のシステム構成図である。
【符号の説明】
【０１１６】
１  ロビーインターホン
２  住戸機
３  幹線制御装置
６  ドアホン子器
３２  電源重畳回路
３５Ａ，３５Ｂ  幹線リレー接点
３６  電流検出回路
３７  幹線切替制御回路
２００  ループ形成回路
Ｌ１  幹線
Ｌｄ  信号線
【図１】
2006211146.tif 000003
【図２】
2006211146.tif 000004
【図３】
2006211146.tif 000005
【図４】
2006211146.tif 000006
【図５】
2006211146.tif 000007
【図６】
2006211146.tif 000008
【図７】
2006211146.tif 000009
【図８】
2006211146.tif 000010
【図９】
2006211146.tif 000011
【図１０】
2006211146.tif 000012
【図１１】
2006211146.tif 000013
【図１２】
2006211146.tif 000014
【図１３】
2006211146.tif 000015